(57)【要約】【課題】ＤＶＩ規格のケーブルなどを利用して、映像データにオーディオデータを多重化して伝送することが、簡単な構成で良好に行えるデータ送信装置，データ受信装置を提供する。【解決手段】データ送信側から、映像データのピクセルクロック、及びオーディオデータのサンプリング周波数に応じ、且つ３００Ｈｚ≦オーディオクロック／Ｎ≦３０００Ｈｚの範囲でとりえる分周パラメータＮと、該分周パラメータＮで分周後のオーディオクロックの周期をピクセルクロックでカウントしたカウント値ＣＴＳとを伝送し、データ受信側で、ピクセルクロックをカウント値ＣＴＳで分周し、その分周後の分周クロックｓ５０１を、ＶＣＯ５０４から発振されるオーディオクロックｓ４０３を分周パラメータＮで分周した位相比較クロックｓ５０５で位相制御して、オーディオクロックｓ４０３を生成するようにした。【選択図】　　　図７
2004023187.tif 000002
【特許請求の範囲】
【請求項１】
映像音声データをデジタルディスプレイ接続用のインターフェースを介して送信するデータ送信装置であって、
音声データを加工して伝送用オーディオデータを出力するデータ加工手段と、
映像データを前記伝送用オーディオデータと重畳して映像音声データを出力するデータ重畳手段とを備え、
前記データ加工手段は、
前記音声データの基準クロックであるオーディオクロックを、所定の分周パラメータＮで分周し、該オーディオクロックのＮ倍の周期を有する伝送用オーディオクロックを生成する分周手段と、
前記分周手段により生成された前記伝送用オーディオクロックの周期を、映像データの基準クロックであるピクセルクロックでカウントし、そのカウント値ＣＴＳを出力するカウント手段とを有し、
前記音声データに前記分周パラメータＮ及び前記カウント値ＣＴＳを含む付加情報を付加して、前記伝送用オーディオデータを生成するものであり、
前記伝送用オーディオクロックは、その周波数が３００Ｈｚ以上のクロックである、
ことを特徴とするデータ送信装置。
【請求項２】
映像音声データをデジタルディスプレイ接続用のインターフェースを介して送信するデータ送信装置であって、
音声データを加工して伝送用オーディオデータを出力するデータ加工手段と、
映像データを前記伝送用オーディオデータと重畳して映像音声データを出力するデータ重畳手段とを備え、
前記データ加工手段は、
前記音声データの基準クロックであるオーディオクロックを、所定の分周パラメータＮで分周し、該オーディオクロックのＮ倍の周期を有する伝送用オーディオクロックを生成する分周手段と、
前記分周手段により生成された前記伝送用オーディオクロックの周期を、映像データの基準クロックであるピクセルクロックでカウントし、そのカウント値ＣＴＳを出力するカウント手段とを有し、
前記音声データに前記分周パラメータＮ及び前記カウント値ＣＴＳを含む付加情報を付加して、前記伝送用オーディオデータを生成するものであり、
前記伝送用オーディオクロックは、その周波数が３０００Ｈｚ以下のクロックである、
ことを特徴とするデータ送信装置。
【請求項３】
映像音声データをデジタルディスプレイ接続用のインターフェースを介して送信するデータ送信装置であって、
音声データを加工して伝送用オーディオデータを出力するデータ加工手段と、
映像データを前記伝送用オーディオデータと重畳して映像音声データを出力するデータ重畳手段とを備え、
前記データ加工手段は、
前記音声データの基準クロックであるオーディオクロックを、所定の分周パラメータＮで分周し、該オーディオクロックのＮ倍の周期を有する伝送用オーディオクロックを生成する分周手段と、
前記分周手段により生成された前記伝送用オーディオクロックの周期を、映像データの基準クロックであるピクセルクロックでカウントし、そのカウント値ＣＴＳを出力するカウント手段とを有し、
前記音声データに前記分周パラメータＮ及び前記カウント値ＣＴＳを含む付加情報を付加して、前記伝送用オーディオデータを生成するものであり、
前記伝送用オーディオクロックは、その周波数が３００Ｈｚ以上、且つ３０００Ｈｚ以下のクロックである、
ことを特徴とするデータ送信装置。
【請求項４】
請求項３に記載のデータ送信装置において、
前記ピクセルクロックが２５．２／１．００１ＭＨｚ、且つ、音声データのデータサンプリング周波数が３２ｋＨｚである場合、前記分周パラメータＮ（Ｎは整数）と、カウント値ＣＴＳ（ＣＴＳは整数）との関係は、図８（ａ）に示すものである、ことを特徴とするデータ送信装置。
【請求項５】
請求項３に記載のデータ送信装置において、
前記ピクセルクロックが２５．２／１．００１ＭＨｚ、且つ、音声データのデータサンプリング周波数が４４．１ｋＨｚである場合、前記分周パラメータＮ（Ｎは整数）と、カウント値ＣＴＳ（ＣＴＳは整数）との関係は、図８（ｂ）に示すものである、ことを特徴とするデータ送信装置。
【請求項６】
請求項３に記載のデータ送信装置において、
前記ピクセルクロックが２５．２／１．００１ＭＨｚ、且つ、音声データのデータサンプリング周波数が４８ｋＨｚである場合、前記分周パラメータＮ（Ｎは整数）と、カウント値ＣＴＳ（ＣＴＳは整数）との関係は、図８（ｃ）に示すものである、ことを特徴とするデータ送信装置。
【請求項７】
請求項３に記載のデータ送信装置において、
前記ピクセルクロックが２５．２ＭＨｚ、且つ、音声データのデータサンプリング周波数が３２ｋＨｚである場合、前記分周パラメータＮ（Ｎは整数）と、カウント値ＣＴＳ（ＣＴＳは整数）との関係は、図９に示すものである、ことを特徴とするデータ送信装置。
【請求項８】
請求項３に記載のデータ送信装置において、
前記ピクセルクロックが２５．２ＭＨｚ、且つ、音声データのデータサンプリング周波数が４４．１ｋＨｚである場合、前記分周パラメータＮ（Ｎは整数）と、カウント値ＣＴＳ（ＣＴＳは整数）との関係は、図１０、図１１、図１２、図１３、図１４、及び図１５（ａ）に示すものである、ことを特徴とするデータ送信装置。
【請求項９】
請求項３に記載のデータ送信装置において、
前記ピクセルクロックが２５．２ＭＨｚ、且つ、音声データのデータサンプリング周波数が４８ｋＨｚである場合、前記分周パラメータＮ（Ｎは整数）と、カウント値ＣＴＳ（ＣＴＳは整数）との関係は、図１５（ｂ）、及び図１６に示すものである、ことを特徴とするデータ送信装置。
【請求項１０】
請求項３に記載のデータ送信装置において、
前記ピクセルクロックが２７ＭＨｚ、且つ、音声データのデータサンプリング周波数が３２ｋＨｚである場合、前記分周パラメータＮ（Ｎは整数）と、カウント値ＣＴＳ（ＣＴＳは整数）との関係は、図１７（ａ）に示すものである、ことを特徴とするデータ送信装置。
【請求項１１】
請求項３に記載のデータ送信装置において、
前記ピクセルクロックが２７ＭＨｚ、且つ、音声データのデータサンプリング周波数が４４．１ｋＨｚである場合、前記分周パラメータＮ（Ｎは整数）と、カウント値ＣＴＳ（ＣＴＳは整数）との関係は、図１７（ｂ）に示すものである、ことを特徴とするデータ送信装置。
【請求項１２】
請求項３に記載のデータ送信装置において、
前記ピクセルクロックが２７ＭＨｚ、且つ、音声データのデータサンプリング周波数が４８ｋＨｚである場合、前記分周パラメータＮ（Ｎは整数）と、カウント値ＣＴＳ（ＣＴＳは整数）との関係は、図１８に示すものである、ことを特徴とするデータ送信装置。
【請求項１３】
請求項３に記載のデータ送信装置において、
前記ピクセルクロックが２７×１．００１ＭＨｚ、且つ、音声データのデータサンプリング周波数が３２ｋＨｚである場合、前記分周パラメータＮ（Ｎは整数）と、カウント値ＣＴＳ（ＣＴＳは整数）との関係は、図１９（ａ）に示すものである、ことを特徴とするデータ送信装置。
【請求項１４】
請求項３に記載のデータ送信装置において、
前記ピクセルクロックが２７×１．００１ＭＨｚ、且つ、音声データのデータサンプリング周波数が４４．１ｋＨｚである場合、前記分周パラメータＮ（Ｎは整数）と、カウント値ＣＴＳ（ＣＴＳは整数）との関係は、図１９（ｂ）に示すものである、ことを特徴とするデータ送信装置。
【請求項１５】
請求項３に記載のデータ送信装置において、
前記ピクセルクロックが２７×１．００１ＭＨｚ、且つ、音声データのデータサンプリング周波数が４８ｋＨｚである場合、前記分周パラメータＮ（Ｎは整数）と、カウント値ＣＴＳ（ＣＴＳは整数）との関係は、図１９（ｃ）に示すものである、ことを特徴とするデータ送信装置。
【請求項１６】
請求項３に記載のデータ送信装置において、
前記ピクセルクロックが５４．０ＭＨｚ、且つ、音声データのデータサンプリング周波数が３２ｋＨｚである場合、前記分周パラメータＮ（Ｎは整数）と、カウント値ＣＴＳ（ＣＴＳは整数）との関係は、図２０（ａ）に示すものである、ことを特徴とするデータ送信装置。
【請求項１７】
請求項３に記載のデータ送信装置において、
前記ピクセルクロックが５４．０ＭＨｚ、且つ、音声データのデータサンプリング周波数が４４．１ｋＨｚである場合、前記分周パラメータＮ（Ｎは整数）と、カウント値ＣＴＳ（ＣＴＳは整数）との関係は、図２０（ｂ）、及び図２１（ａ）に示すものである、ことを特徴とするデータ送信装置。
【請求項１８】
請求項３に記載のデータ送信装置において、
前記ピクセルクロックが５４．０ＭＨｚ、且つ、音声データのデータサンプリング周波数が４８ｋＨｚである場合、前記分周パラメータＮ（Ｎは整数）と、カウント値ＣＴＳ（ＣＴＳは整数）との関係は、図２１（ｂ）、及び図２２に示すものである、ことを特徴とするデータ送信装置。
【請求項１９】
請求項３に記載のデータ送信装置において、
前記ピクセルクロックが７４．２５／１．００１ＭＨｚ、且つ、音声データのデータサンプリング周波数が３２ｋＨｚである場合、前記分周パラメータＮ（Ｎは整数）と、カウント値ＣＴＳ（ＣＴＳは整数）との関係は、Ｎ＝１１６４８、且つ、２１０９３７≦ＣＴＳ≦２１０９３８である、ことを特徴とするデータ送信装置。
【請求項２０】
請求項３に記載のデータ送信装置において、
前記ピクセルクロックが７４．２５／１．００１ＭＨｚ、且つ、音声データのデータサンプリング周波数が４４．１ｋＨｚである場合、前記分周パラメータＮ（Ｎは整数）と、カウント値ＣＴＳ（ＣＴＳは整数）との関係は、Ｎ＝１７８３６、且つ、ＣＴＳ＝２３４３７５である、ことを特徴とするデータ送信装置。
【請求項２１】
請求項３に記載のデータ送信装置において、
前記ピクセルクロックが７４．２５／１．００１ＭＨｚ、且つ、音声データのデータサンプリング周波数が４８ｋＨｚである場合、前記分周パラメータＮ（Ｎは整数）と、カウント値ＣＴＳ（ＣＴＳは整数）との関係は、Ｎ＝１１６４８、且つ、ＣＴＳ＝１４０６２５である、ことを特徴とするデータ送信装置。
【請求項２２】
請求項３に記載のデータ送信装置において、
前記ピクセルクロックが７４．２５ＭＨｚ、且つ、音声データのデータサンプリング周波数が３２ｋＨｚである場合、前記分周パラメータＮ（Ｎは整数）と、カウント値ＣＴＳ（ＣＴＳは整数）との関係は、図２４（ａ）に示すものである、ことを特徴とするデータ送信装置。
【請求項２３】
請求項３に記載のデータ送信装置において、
前記ピクセルクロックが７４．２５ＭＨｚ、且つ、音声データのデータサンプリング周波数が４４．１ｋＨｚである場合、前記分周パラメータＮ（Ｎは整数）と、カウント値ＣＴＳ（ＣＴＳは整数）との関係は、図２４（ｂ）に示すものである、ことを特徴とするデータ送信装置。
【請求項２４】
請求項３に記載のデータ送信装置において、
前記ピクセルクロックが７４．２５ＭＨｚ、且つ、音声データのデータサンプリング周波数が４８ｋＨｚである場合、前記分周パラメータＮ（Ｎは整数）と、カウント値ＣＴＳ（ＣＴＳは整数）との関係は、図２４（ｃ）に示すものである、ことを特徴とするデータ送信装置。
【請求項２５】
請求項３に記載のデータ送信装置において、
前記ピクセルクロックが１４８．５／１．００１ＭＨｚ、且つ、音声データのデータサンプリング周波数が３２ｋＨｚである場合、前記分周パラメータＮ（Ｎは整数）と、カウント値ＣＴＳ（ＣＴＳは整数）との関係は、図２５（ａ）に示すものである、ことを特徴とするデータ送信装置。
【請求項２６】
請求項３に記載のデータ送信装置において、
前記ピクセルクロックが１４８．５／１．００１ＭＨｚ、且つ、音声データのデータサンプリング周波数が４４．１ｋＨｚである場合、前記分周パラメータＮ（Ｎは整数）と、カウント値ＣＴＳ（ＣＴＳは整数）との関係は、図２５（ｂ）に示すものである、ことを特徴とするデータ送信装置。
【請求項２７】
請求項３に記載のデータ送信装置において、
前記ピクセルクロックが１４８．５／１．００１ＭＨｚ、且つ、音声データのデータサンプリング周波数が４８ｋＨｚである場合、前記分周パラメータＮ（Ｎは整数）と、カウント値ＣＴＳ（ＣＴＳは整数）との関係は、図２５（ｃ）に示すものである、ことを特徴とするデータ送信装置。
【請求項２８】
請求項３に記載のデータ送信装置において、
前記ピクセルクロックが１４８．５ＭＨｚ、且つ、音声データのデータサンプリング周波数が３２ｋＨｚである場合、前記分周パラメータＮ（Ｎは整数）と、カウント値ＣＴＳ（ＣＴＳは整数）との関係は、図２６（ａ）に示すものである、ことを特徴とするデータ送信装置。
【請求項２９】
請求項３に記載のデータ送信装置において、
前記ピクセルクロックが１４８．５ＭＨｚ、且つ、音声データのデータサンプリング周波数が４４．１ｋＨｚである場合、前記分周パラメータＮ（Ｎは整数）と、カウント値ＣＴＳ（ＣＴＳは整数）との関係は、図２６（ｂ）に示すものである、ことを特徴とするデータ送信装置。
【請求項３０】
請求項３に記載のデータ送信装置において、
前記ピクセルクロックが１４８．５ＭＨｚ、且つ、音声データのデータサンプリング周波数が４８ｋＨｚである場合、前記分周パラメータＮ（Ｎは整数）と、カウント値ＣＴＳ（ＣＴＳは整数）との関係は、図２６（ｃ）に示すものである、ことを特徴とするデータ送信装置。
【請求項３１】
映像音声データをデジタルディスプレイ接続用のインターフェースを介して受信するデータ受信装置であって、
前記映像音声データに含まれる映像データと伝送用オーディオデータとを分離する映像音声データ分離手段と、
前記映像データの基準クロックであるピクセルクロックと、前記伝送用オーディオデータに付加された分周パラメータＮとに基づいて、音声データの基準クロックであるオーディオクロックを生成するオーディオクロック生成手段とを備え、
該オーディオクロック生成手段は、
制御信号に基づいて前記オーディオクロックを発生する発信器と、
前記ピクセルクロックを、前記伝送用オーディオデータに含まれているカウント値ＣＴＳで分周し、前記ピクセルクロックのＣＴＳ倍の周期を有する分周クロックを生成する分周手段と、
前記分周クロックの位相と、前記オーディオクロックを分周パラメータＮで分周した位相比較クロックの位相との位相差に基づいて生成される前記制御信号により、前記発信器を制御する位相制御手段と、を備える、
ことを特徴とするデータ受信装置。
【請求項３２】
請求項３１に記載のデータ受信装置において、
前記位相制御手段は、前記分周手段により生成された分周クロックの位相と、１０００Ｈｚに最も近い周波数を有する前記位相比較クロックの位相との位相差に基づいて、前記発信器を制御する、
ことを特徴とするデータ受信装置。
【請求項３３】
請求項３１に記載のデータ受信装置において、
前記音声データのサンプリング周波数が４４．１ｋＨｚの場合、
前記位相制御手段は、前記分周手段により生成された分周クロックの位相と、９００Ｈｚに最も近い周波数を有する前記位相比較クロックの位相との位相差に基づいて、前記発信器を制御する、
ことを特徴とするデータ受信装置。
【請求項３４】
請求項３１に記載のデータ受信装置において、
前記音声データのデータサンプリング周波数が３２ｋＨｚ、あるいは４８ｋＨｚで、且つ、前記ピクセルクロックが、２５．２／１．００１ＭＨｚ、２５．０２２ＭＨｚ、２７．０００ＭＨｚ、２７．０×１．００１ＭＨｚ、５４．０００ＭＨｚ、７４．２５／１．００１ＭＨｚ、７４．２５ＭＨｚ、１４８．５／１．００１ＭＨｚ、及び１４８．５ＭＨｚ以外である場合、
前記分周パラメータＮ（Ｎは整数）は、前記ピクセルクロックを分周パラメータＮで分周した位相比較クロックの周波数が、１０００Ｈｚに最も近い周波数となるように決定されるものである、
ことを特徴とするデータ受信装置。
【請求項３５】
請求項３１に記載のデータ受信装置において、
前記音声データのデータサンプリング周波数が４４．１ｋＨｚで、且つ、前記ピクセルクロックが、２５．２／１．００１ＭＨｚ、２５．０２２ＭＨｚ、２７．０００ＭＨｚ、２７．０×１．００１ＭＨｚ、５４．０００ＭＨｚ、７４．２５／１．００１ＭＨｚ、７４．２５ＭＨｚ、１４８．５／１．００１ＭＨｚ、及び１４８．５ＭＨｚ以外である場合、
前記分周パラメータＮ（Ｎは整数）は、前記ピクセルクロックを分周パラメータＮで分周した位相比較クロックの周波数が、９００Ｈｚに最も近い周波数となるように決定されるものである、
ことを特徴とするデータ受信装置。
【発明の詳細な説明】
【０００１】
【発明の属する技術分野】
本発明は、たとえばＤＶＩ（Ｄｉｇｉｔａｌ　Ｖｉｄｅｏ　Ｉｎｔｅｒｆａｃｅ）を用いて映像信号源と映像表示装置とを接続したディジタルデータ伝送システムにおけるデータ送信装置、及びデータ受信装置に関し、特に映像データを伝送する既存のインターフェイスを用いて、簡単かつ良好にオーディオデータを伝送することができるデータ送信装置、及びデータ受信装置に関する。
【０００２】
【従来の技術】
近年、テレビジョンチューナ、ビデオ再生装置、パーソナルコンピュータ装置本体などの映像信号源と、モニター受信機などの映像表示装置とを接続させる場合にデジタルデータで映像データを表示装置に伝送させるＤＶＩ規格と称されるものが規格化されている。
このＤＶＩ規格の詳細については、後述する実施の形態の中で説明するが、簡単に述べると、映像データを原色信号Ｒ，Ｇ，Ｂのそれぞれを画素（ピクセル）単位でデジタル化したデータとして、表示装置に伝送するようにしたもので、高品位の画像を伝送して表示させることができる。また、画素単位の映像データであるため、表示装置側では受信した映像データで直接表示ドライバを駆動させることができ、比較的簡単な処理構成で表示などを行うことができる。
【０００３】
【発明が解決しようとする課題】
しかし、ＤＶＩ規格により規定されたケーブルで伝送されるデータは、基本的に映像データだけであり、オーディオデータを同時に伝送させることを考えた場合には、ＤＶＩ規格で規定されたケーブルとは別のオーディオ用のケーブルで、チューナなどのオーディオ出力装置とを接続させる必要がある。
ところが、このように複数のケーブルで接続させるようにすると、接続構成が複雑化する問題があった。
【０００４】
すなわち、映像データだけを伝送するシステム構成を考えた場合には、例えば図３０に示すように、映像信号源６００とディスプレイ装置６１０とを、ＤＶＩ規格のケーブル６２０で接続し、このケーブル６２０を介してＤＶＩ規格で符号化された映像データを伝送するようにすれば、映像信号源６００からディスプレイ装置６１０に映像データを伝送することができる。これに対して、例えば図３１に示すように、映像・音声信号源７００からスピーカ付ディスプレイ装置７１０に映像データと音声データとを伝送する場合には、ＤＶＩ規格のケーブル６２０で映像データを伝送するように接続し、さらにケーブル６２０とは別のオーディオ信号用ケーブル６３０でオーディオデータを伝送するように接続する必要がある。そして、このように接続することで、映像・音声信号源７００から出力された映像データをディスプレイ装置７１０で表示させることができ、またディスプレイ装置７１０に取りつけられたスピーカ７１１，７１２から音声を出力させることができる。
【０００５】
ところが、図３１に示すように、映像データと音声データとで別々のケーブルを使用して接続するようにすると、それだけ接続構成が複雑化する問題がある。よって、できれば機器間を接続するケーブルの数は少ないほうが好ましい。
【０００６】
従来において、映像データと音声データを多重化して１本のケーブルを使用して伝送できるようにする技術としては、例えばＩＥＥＥ（Ｔｈｅ　Ｉｎｓｔｉｔｕｔｅ　ｏｆ　Ｅｌｅｃｔｒｉｃａｌ　ａｎｄ　Ｅｌｅｃｔｒｏｎｉｃｓ　Ｅｎｇｉｎｅｅｒｓ）　１３９４方式として規格化されたバスラインを使用したデータ伝送技術があり、機器間を接続するケーブルとして、ＩＥＥＥ１３９４方式で規格されたバスラインを適用すれば、１本のケーブルで映像データと音声データとを同時に伝送することで可能である。しかし、このようなＩＥＥＥ１３９４方式のバスラインなどでデータ伝送を行うためには、非常に複雑なデータ処理が必要であり、送信側における伝送用のエンコード処理の構成や、受信側におけるバスラインを介して受信したデータのデコード処理の構成に、非常に大規模な回路構成が必要となるため、コストがかかる問題がある。また、ＩＥＥＥ１３９４方式などでは、伝送レートなどの問題から、映像データや音声データを圧縮符号化して多重化するようにしているため、上述したＤＶＩ規格のように画素単位でデジタル化した映像データを伝送するものに比べて、画質が劣る問題がある。
【０００７】
また、デジタル化された音声データを伝送する場合には、映像用のクロックと同時に、オーディオ用クロックも伝送する必要があり、そのための伝送用の信号ラインが必要になること、また、その伝送用の信号ラインで高速な信号を伝送することになるため、ジッタの増加が起こるという問題があった。
【０００８】
本発明は、上述のような問題点を解消するためになされたもので、映像データを伝送する既存のインターフェイスを用いて、送信側から、簡単かつ良好に、オーディオデータ、及びオーディオ用クロックを生成するためのデータを伝送し、受信側で、簡単かつ良好に、前記オーディオ用クロックを生成し、前記オーディオデータを再生することができるデータ送信装置、及びデータ受信装置を提供することを目的とする。
【０００９】
【課題を解決するための手段】
前記課題を解決するために、本発明（請求項１）に係るデータ送信装置は、映像音声データをデジタルディスプレイ接続用のインターフェースを介して送信するデータ送信装置であって、音声データを加工して伝送用オーディオデータを出力するデータ加工手段と、映像データを前記伝送用オーディオデータと重畳して映像音声データを出力するデータ重畳手段とを備え、前記データ加工手段は、前記音声データの基準クロックであるオーディオクロックを、所定の分周パラメータＮで分周し、該オーディオクロックのＮ倍の周期を有する伝送用オーディオクロックを生成する分周手段と、前記分周手段により生成された前記伝送用オーディオクロックの周期を、映像データの基準クロックであるピクセルクロックでカウントし、そのカウント値ＣＴＳを出力するカウント手段とを有し、前記音声データに前記分周パラメータＮ及び前記カウント値ＣＴＳを含む付加情報を付加して、前記伝送用オーディオデータを生成するものであり、前記伝送用オーディオクロックは、その周波数が３００Ｈｚ以上のクロックである。
【００１０】
また、本発明（請求項２）に係るデータ送信装置は、映像音声データをデジタルディスプレイ接続用のインターフェースを介して送信するデータ送信装置であって、音声データを加工して伝送用オーディオデータを出力するデータ加工手段と、映像データを前記伝送用オーディオデータと重畳して映像音声データを出力するデータ重畳手段とを備え、前記データ加工手段は、前記音声データの基準クロックであるオーディオクロックを、所定の分周パラメータＮで分周し、該オーディオクロックのＮ倍の周期を有する伝送用オーディオクロックを生成する分周手段と、前記分周手段により生成された前記伝送用オーディオクロックの周期を、映像データの基準クロックであるピクセルクロックでカウントし、そのカウント値ＣＴＳを出力するカウント手段とを有し、前記音声データに前記分周パラメータＮ及び前記カウント値ＣＴＳを含む付加情報を付加して、前記伝送用オーディオデータを生成するものであり、前記伝送用オーディオクロックは、その周波数が３０００Ｈｚ以下のクロックである。
【００１１】
また、本発明（請求項３）に係るデータ送信装置は、映像音声データをデジタルディスプレイ接続用のインターフェースを介して送信するデータ送信装置であって、音声データを加工して伝送用オーディオデータを出力するデータ加工手段と、映像データを前記伝送用オーディオデータと重畳して映像音声データを出力するデータ重畳手段とを備え、前記データ加工手段は、前記音声データの基準クロックであるオーディオクロックを、所定の分周パラメータＮで分周し、該オーディオクロックのＮ倍の周期を有する伝送用オーディオクロックを生成する分周手段と、前記分周手段により生成された前記伝送用オーディオクロックの周期を、映像データの基準クロックであるピクセルクロックでカウントし、そのカウント値ＣＴＳを出力するカウント手段とを有し、前記音声データに前記分周パラメータＮ及び前記カウント値ＣＴＳを含む付加情報を付加して、前記伝送用オーディオデータを生成するものであり、前記伝送用オーディオクロックは、その周波数が３００Ｈｚ以上、且つ３０００Ｈｚ以下のクロックである。
【００１２】
また、本発明（請求項４）に係るデータ送信装置は、請求項３に記載のデータ送信装置において、前記ピクセルクロックが２５．２／１．００１ＭＨｚ、且つ、音声データのデータサンプリング周波数が３２ｋＨｚである場合、前記分周パラメータＮ（Ｎは整数）と、カウント値ＣＴＳ（ＣＴＳは整数）との関係は、図８（ａ）に示すものである。
【００１３】
また、本発明（請求項５）に係るデータ送信装置は、請求項３に記載のデータ送信装置において、前記ピクセルクロックが２５．２／１．００１ＭＨｚ、且つ、音声データのデータサンプリング周波数が４４．１ｋＨｚである場合、前記分周パラメータＮ（Ｎは整数）と、カウント値ＣＴＳ（ＣＴＳは整数）との関係は、図８（ｂ）に示すものである。
【００１４】
また、本発明（請求項６）に係るデータ送信装置は、請求項３に記載のデータ送信装置において、前記ピクセルクロックが２５．２／１．００１ＭＨｚ、且つ、音声データのデータサンプリング周波数が４８ｋＨｚである場合、前記分周パラメータＮ（Ｎは整数）と、カウント値ＣＴＳ（ＣＴＳは整数）との関係は、図８（ｃ）に示すものである。
【００１５】
また、本発明（請求項７）に係るデータ送信装置は、請求項３に記載のデータ送信装置において、前記ピクセルクロックが２５．２ＭＨｚ、且つ、音声データのデータサンプリング周波数が３２ｋＨｚである場合、前記分周パラメータＮ（Ｎは整数）と、カウント値ＣＴＳ（ＣＴＳは整数）との関係は、図９に示すものである。
【００１６】
また、本発明（請求項８）に係るデータ送信装置は、請求項３に記載のデータ送信装置において、前記ピクセルクロックが２５．２ＭＨｚ、且つ、音声データのデータサンプリング周波数が４４．１ｋＨｚである場合、前記分周パラメータＮ（Ｎは整数）と、カウント値ＣＴＳ（ＣＴＳは整数）との関係は、図１０、図１１、図１２、図１３、図１４、及び図１５（ａ）に示すものである。
【００１７】
また、本発明（請求項９）に係るデータ送信装置は、請求項３に記載のデータ送信装置において、前記ピクセルクロックが２５．２ＭＨｚ、且つ、音声データのデータサンプリング周波数が４８ｋＨｚである場合、前記分周パラメータＮ（Ｎは整数）と、カウント値ＣＴＳ（ＣＴＳは整数）との関係は、図１５（ｂ）、及び図１６に示すものである。
【００１８】
また、本発明（請求項１０）に係るデータ送信装置は、請求項３に記載のデータ送信装置において、前記ピクセルクロックが２７ＭＨｚ、且つ、音声データのデータサンプリング周波数が３２ｋＨｚである場合、前記分周パラメータＮ（Ｎは整数）と、カウント値ＣＴＳ（ＣＴＳは整数）との関係は、図１７（ａ）に示すものである。
【００１９】
また、本発明（請求項１１）に係るデータ送信装置は、請求項３に記載のデータ送信装置において、前記ピクセルクロックが２７ＭＨｚ、且つ、音声データのデータサンプリング周波数が４４．１ｋＨｚである場合、前記分周パラメータＮ（Ｎは整数）と、カウント値ＣＴＳ（ＣＴＳは整数）との関係は、図１７（ｂ）に示すものである。
【００２０】
また、本発明（請求項１２）に係るデータ送信装置は、請求項３に記載のデータ送信装置において、前記ピクセルクロックが２７ＭＨｚ、且つ、音声データのデータサンプリング周波数が４８ｋＨｚである場合、前記分周パラメータＮ（Ｎは整数）と、カウント値ＣＴＳ（ＣＴＳは整数）との関係は、図１８に示すものである。
【００２１】
また、本発明（請求項１３）に係るデータ送信装置は、請求項３に記載のデータ送信装置において、前記ピクセルクロックが２７×１．００１ＭＨｚ、且つ、音声データのデータサンプリング周波数が３２ｋＨｚである場合、前記分周パラメータＮ（Ｎは整数）と、カウント値ＣＴＳ（ＣＴＳは整数）との関係は、図１９（ａ）に示すものである。
【００２２】
また、本発明（請求項１４）に係るデータ送信装置は、請求項３に記載のデータ送信装置において、前記ピクセルクロックが２７×１．００１ＭＨｚ、且つ、音声データのデータサンプリング周波数が４４．１ｋＨｚである場合、前記分周パラメータＮ（Ｎは整数）と、カウント値ＣＴＳ（ＣＴＳは整数）との関係は、図１９（ｂ）に示すものである。
【００２３】
また、本発明（請求項１５）に係るデータ送信装置は、請求項３に記載のデータ送信装置において、前記ピクセルクロックが２７×１．００１ＭＨｚ、且つ、音声データのデータサンプリング周波数が４８ｋＨｚである場合、前記分周パラメータＮ（Ｎは整数）と、カウント値ＣＴＳ（ＣＴＳは整数）との関係は、図１９（ｃ）に示すものである。
【００２４】
また、本発明（請求項１６）に係るデータ送信装置は、請求項３に記載のデータ送信装置において、前記ピクセルクロックが５４．０ＭＨｚ、且つ、音声データのデータサンプリング周波数が３２ｋＨｚである場合、前記分周パラメータＮ（Ｎは整数）と、カウント値ＣＴＳ（ＣＴＳは整数）との関係は、図２０（ａ）に示すものである。
【００２５】
また、本発明（請求項１７）に係るデータ送信装置は、請求項３に記載のデータ送信装置において、前記ピクセルクロックが５４．０ＭＨｚ、且つ、音声データのデータサンプリング周波数が４４．１ｋＨｚである場合、前記分周パラメータＮ（Ｎは整数）と、カウント値ＣＴＳ（ＣＴＳは整数）との関係は、図２０（ｂ）、及び図２１（ａ）に示すものである。
【００２６】
また、本発明（請求項１８）に係るデータ送信装置は、請求項３に記載のデータ送信装置において、前記ピクセルクロックが５４．０ＭＨｚ、且つ、音声データのデータサンプリング周波数が４８ｋＨｚである場合、前記分周パラメータＮ（Ｎは整数）と、カウント値ＣＴＳ（ＣＴＳは整数）との関係は、図２１（ｂ）、及び図２２に示すものである。
【００２７】
また、本発明（請求項１９）に係るデータ送信装置は、請求項３に記載のデータ送信装置において、前記ピクセルクロックが７４．２５／１．００１ＭＨｚ、且つ、音声データのデータサンプリング周波数が３２ｋＨｚである場合、前記分周パラメータＮ（Ｎは整数）と、カウント値ＣＴＳ（ＣＴＳは整数）との関係は、Ｎ＝１１６４８、且つ、２１０９３７≦ＣＴＳ≦２１０９３８である。
【００２８】
また、本発明（請求項２０）に係るデータ送信装置は、請求項３に記載のデータ送信装置において、前記ピクセルクロックが７４．２５／１．００１ＭＨｚ、且つ、音声データのデータサンプリング周波数が４４．１ｋＨｚである場合、前記分周パラメータＮ（Ｎは整数）と、カウント値ＣＴＳ（ＣＴＳは整数）との関係は、Ｎ＝１７８３６、且つ、ＣＴＳ＝２３４３７５である。
【００２９】
また、本発明（請求項２１）に係るデータ送信装置は、請求項３に記載のデータ送信装置において、前記ピクセルクロックが７４．２５／１．００１ＭＨｚ、且つ、音声データのデータサンプリング周波数が４８ｋＨｚである場合、前記分周パラメータＮ（Ｎは整数）と、カウント値ＣＴＳ（ＣＴＳは整数）との関係は、Ｎ＝１１６４８、且つ、ＣＴＳ＝１４０６２５である。
【００３０】
また、本発明（請求項２２）に係るデータ送信装置は、請求項３に記載のデータ送信装置において、前記ピクセルクロックが７４．２５ＭＨｚ、且つ、音声データのデータサンプリング周波数が３２ｋＨｚである場合、前記分周パラメータＮ（Ｎは整数）と、カウント値ＣＴＳ（ＣＴＳは整数）との関係は、図２４（ａ）に示すものである。
【００３１】
また、本発明（請求項２３）に係るデータ送信装置は、請求項３に記載のデータ送信装置において、前記ピクセルクロックが７４．２５ＭＨｚ、且つ、音声データのデータサンプリング周波数が４４．１ｋＨｚである場合、前記分周パラメータＮ（Ｎは整数）と、カウント値ＣＴＳ（ＣＴＳは整数）との関係は、図２４（ｂ）に示すものである。
【００３２】
また、本発明（請求項２４）に係るデータ送信装置は、請求項３に記載のデータ送信装置において、前記ピクセルクロックが７４．２５ＭＨｚ、且つ、音声データのデータサンプリング周波数が４８ｋＨｚである場合、前記分周パラメータＮ（Ｎは整数）と、カウント値ＣＴＳ（ＣＴＳは整数）との関係は、図２４（ｃ）に示すものである。
【００３３】
また、本発明（請求項２５）に係るデータ送信装置は、請求項３に記載のデータ送信装置において、前記ピクセルクロックが１４８．５／１．００１ＭＨｚ、且つ、音声データのデータサンプリング周波数が３２ｋＨｚである場合、前記分周パラメータＮ（Ｎは整数）と、カウント値ＣＴＳ（ＣＴＳは整数）との関係は、図２５（ａ）に示すものである。
【００３４】
また、本発明（請求項２６）に係るデータ送信装置は、請求項３に記載のデータ送信装置において、前記ピクセルクロックが１４８．５／１．００１ＭＨｚ、且つ、音声データのデータサンプリング周波数が４４．１ｋＨｚである場合、前記分周パラメータＮ（Ｎは整数）と、カウント値ＣＴＳ（ＣＴＳは整数）との関係は、図２５（ｂ）に示すものである。
【００３５】
また、本発明（請求項２７）に係るデータ送信装置は、請求項３に記載のデータ送信装置において、前記ピクセルクロックが１４８．５／１．００１ＭＨｚ、且つ、音声データのデータサンプリング周波数が４８ｋＨｚである場合、前記分周パラメータＮ（Ｎは整数）と、カウント値ＣＴＳ（ＣＴＳは整数）との関係は、図２５（ｃ）に示すものである。
【００３６】
また、本発明（請求項２８）に係るデータ送信装置は、請求項３に記載のデータ送信装置において、前記ピクセルクロックが１４８．５ＭＨｚ、且つ、音声データのデータサンプリング周波数が３２ｋＨｚである場合、前記分周パラメータＮ（Ｎは整数）と、カウント値ＣＴＳ（ＣＴＳは整数）との関係は、図２６（ａ）に示すものである。
【００３７】
また、本発明（請求項２９）に係るデータ送信装置は、請求項３に記載のデータ送信装置において、前記ピクセルクロックが１４８．５ＭＨｚ、且つ、音声データのデータサンプリング周波数が４４．１ｋＨｚである場合、前記分周パラメータＮ（Ｎは整数）と、カウント値ＣＴＳ（ＣＴＳは整数）との関係は、図２６（ｂ）に示すものである。
【００３８】
また、本発明（請求項３０）に係るデータ送信装置は、請求項３に記載のデータ送信装置において、前記ピクセルクロックが１４８．５ＭＨｚ、且つ、音声データのデータサンプリング周波数が４８ｋＨｚである場合、前記分周パラメータＮ（Ｎは整数）と、カウント値ＣＴＳ（ＣＴＳは整数）との関係は、図２６（ｃ）に示すものである。
【００３９】
また、本発明（請求項３１）に係るデータ受信装置は、映像音声データをデジタルディスプレイ接続用のインターフェースを介して受信するデータ受信装置であって、前記映像音声データに含まれる映像データと伝送用オーディオデータとを分離する映像音声データ分離手段と、前記映像データの基準クロックであるピクセルクロックと、前記伝送用オーディオデータに付加された分周パラメータＮとに基づいて、音声データの基準クロックであるオーディオクロックを生成するオーディオクロック生成手段とを備え、該オーディオクロック生成手段は、制御信号に基づいて前記オーディオクロックを発生する発信器と、前記ピクセルクロックを、前記伝送用オーディオデータに含まれているカウント値ＣＴＳで分周し、前記ピクセルクロックのＣＴＳ倍の周期を有する分周クロックを生成する分周手段と、前記分周クロックの位相と、前記オーディオクロックを分周パラメータＮで分周した位相比較クロックの位相との位相差に基づいて生成される前記制御信号により、前記発信器を制御する位相制御手段と、を備えるものである。
【００４０】
また、本発明（請求項３２）に係るデータ受信装置は、請求項３１に記載のデータ受信装置において、前記位相制御手段は、前記分周手段により生成された分周クロックの位相と、１０００Ｈｚに最も近い周波数を有する前記位相比較クロックの位相との位相差に基づいて、前記発信器を制御するものである。
【００４１】
また、本発明（請求項３３）に係るデータ受信装置は、請求項３１に記載のデータ受信装置において、前記音声データのサンプリング周波数が４４．１ｋＨｚの場合、前記位相制御手段は、前記分周手段により生成された分周クロックの位相と、９００Ｈｚに最も近い周波数を有する前記位相比較クロックの位相との位相差に基づいて、前記発信器を制御するものである。
【００４２】
また、本発明（請求項３４）に係るデータ受信装置は、請求項３１に記載のデータ受信装置において、前記音声データのデータサンプリング周波数が３２ｋＨｚ、あるいは４８ｋＨｚで、且つ、前記ピクセルクロックが、２５．２／１．００１ＭＨｚ、２５．０２２ＭＨｚ、２７．０００ＭＨｚ、２７．０×１．００１ＭＨｚ、５４．０００ＭＨｚ、７４．２５／１．００１ＭＨｚ、７４．２５ＭＨｚ、１４８．５／１．００１ＭＨｚ、及び１４８．５ＭＨｚ以外である場合、前記分周パラメータＮ（Ｎは整数）は、前記ピクセルクロックを分周パラメータＮで分周した位相比較クロックの周波数が、１０００Ｈｚに最も近い周波数となるように決定されるものである。
【００４３】
また、本発明（請求項３５）に係るデータ受信装置は、請求項３１に記載のデータ受信装置において、前記音声データのデータサンプリング周波数が４４．１ｋＨｚで、且つ、前記ピクセルクロックが、２５．２／１．００１ＭＨｚ、２５．０２２ＭＨｚ、２７．０００ＭＨｚ、２７．０×１．００１ＭＨｚ、５４．０００ＭＨｚ、７４．２５／１．００１ＭＨｚ、７４．２５ＭＨｚ、１４８．５／１．００１ＭＨｚ、及び１４８．５ＭＨｚ以外である場合、前記分周パラメータＮ（Ｎは整数）は、前記ピクセルクロックを分周パラメータＮで分周した位相比較クロックの周波数が、９００Ｈｚに最も近い周波数となるように決定されるものである。
【００４４】
【発明の実施の形態】
以下、本発明の実施の形態を、図を用いて説明する。
本実施の形態によるディジタル信号送受信システムは、ビデオテープ記録再生装置、ビデオディスク再生装置、チュ−ナーなどの映像・音声信号源から出力される映像データ，及びオーディオデータを、表示装置として音声出力機能を有するモニタ受像機、テレビジョン受像機などの表示装置に対し、１つの伝送ケーブルを使用して伝送するようにしたものである。この伝送ケーブルとしては、ＤＶＩ（Ｄｉｇｉｔａｌ　Ｖｉｓｕａｌ　Ｉｎｔｅｒｆａｃｅ）と称される規格でデータが伝送されるケーブルを使用する。
【００４５】
まず、図１〜図３を用いて、本実施の形態におけるディジタルデータ伝送システムについて説明する。
図１は、本実施の形態によるディジタルデータ伝送システムの全体構成を示す図である。図において、１００はビデオテープ記録再生装置、ビデオディスク再生装置、チュ−ナーなどの映像・音声信号源、１１０は前記映像・音声信号源１００から出力される映像データとオーディオデータとを重畳してＤＶＩ用ケーブルに送出するデータ送信装置、１２０はＤＶＩ用ケーブル、１３０は前記ＤＶＩ用ケーブル１２０により伝送された映像・オーディオデータ重畳信号（映像音声信号）を受信し、映像データとアナログオーディオ信号とを出力するデータ受信装置、１４０は前記データ受信装置から映像データとアナログオーディオ信号とを受け取り映像及び音声の表示を行う映像・音声表示装置である。そして、ＤＶＩ用ケーブル１２０が接続されるデータ送信装置１１０及びデータ受信装置１３０のコネクタ部は、例えば２４本のピンコネクタで構成され、ＤＶＩ用ケーブル１２０によりデータ送信装置１１０のコネクタの２４本のピンと、データ受信装置１３０のコネクタの２４本のピンとが個別に接続される。
【００４６】
前記構成を有する伝送システムにおいて、オーディオデータを伝送するために、本実施の形態においては、図２に示すように、ＤＶＩフォーマットの映像データに伝送用オーディオデータを重畳し、その映像・音声重畳信号を水平ブランク周期信号や、ピクセルクロックと共に、ＤＶＩ用ケーブル１２０を介して、データ送信装置１１０からデータ受信装置１３０に伝送する。また、受信側において、映像データに重畳されて伝送されたオーディオデータをアナログオーディオ信号として再生するためには、オーディオデータの基準クロックであるオーディオクロックが必要となるが、ＤＶＩ用ケーブル１２０では直接オーディオクロックを伝送できないので、本実施の形態では、送信側から、オーディオクロックを、該オーディオクロックとピクセルクロックとの公倍数である伝送用オーディオクロックにする分周パラメータＮ、及びその分周後の伝送用オーディオクロックの周期をピクセルクロックでカウントしたカウント値ＣＴＳ等を、オーディオデータに付加情報として付加し、その付加情報を含む伝送用オーディオデータを、映像データに重畳して、受信側に伝送し、その分周パラメータＮ、及びカウント値ＣＴＳに基づいて、同期性を維持したオーディオクロックを生成するようにする。
【００４７】
ここで、図２を用いて、ＤＶＩ用ケーブル１２０を介して伝送される、ＤＶＩフォーマットの映像データの構成について説明する。伝送される映像データとしては、ｃｈａｎｎｅｌ０に示すＢデータ（青データ）と、ｃｈａｎｎｅｌ１に示すＧデータ（緑データ）と、ｃｈａｎｎｅｌ２に示すＲデータ（赤データ）とが、それぞれ個別のチャンネルで、１画素が８ビットのデータ、つまり、３チャンネルで１画素当たり合計２４ビットのデータとして伝送される。ただし、実際にＤＶＩ用ケーブル１２０で画素データを伝送する際には、８ビットのデータを１０ビットのデータに変換して伝送するようにしており、また、各チャンネルの画素データは、ピクセルクロックに同期して伝送される。
【００４８】
さらに、ＤＶＩフォーマットでは、各チャンネルの画素データは、水平ブランキング期間、及び垂直ブランキング期間には伝送されず、水平同期信号ＨＳＹＮＣとして規定されたデータ、垂直同期信号ＶＳＹＮＣとして規定されたデータ、あるいは各種の制御データが伝送されるものとなっている。よって、本実施の形態によるディジタルデータ伝送システムでは、いずれかのチャンネル（図２においては、ｃｈａｎｎｅｌ１で示すＧデータの伝送チャンネル）の水平ブランキング期間に、オーディオデータを加工して生成した伝送用オーディオデータを重畳する。
【００４９】
また、本実施の形態において入力されるオーディオデータは、例えば、図３に示すような、ＩＥＣ（Ｉｎｔｅｒｎａｔｉｏｎａｌ　Ｅｌｅｃｔｒｏｔｅｃｈｎｉｃａｌ　Ｃｏｍｍｉｓｓｉｏｎ）６０９５８方式でパケット化されたオーディオデータであり、ＩＥＣ６０９５８方式のパケットデータは、図３に示すように、１パケット（１サブフレーム）が３２ビットで構成され、先頭に４ビットのプリアンブルが配置され、続く２４ビットの区間に１サンプルのオーディオデータ（オーディオサンプルワード）が配置され、末尾の４ビットにはサブコード（ＶＵＣＰ）が配置されるものである。なお、１サンプルが２４ビット未満のビット数（たとえば１６ビット）のデータが配置される場合もある。
【００５０】
以下、本実施の形態におけるデータ送信装置１１０、及びデータ受信装置１３０の構成について、図４〜図７を参照しながら詳細に説明する。
まず、図４は、本実施の形態のデータ送信装置の構成を示すブロック図であり、図５は、前記データ送信装置のオーディオデータ加工手段における、分周パラメータＮ、及びカウント値ＣＴＳを生成する構成部分のブロック図である。
【００５１】
図４において、２０１は映像・音声信号源１００から出力されるディジタルオーディオデータに付加情報を付加し、映像データに重畳して受信側に伝送する伝送用オーディオデータを作成するオーディオデータ加工手段であり、２０２は前記オーディオデータ加工手段２０１により生成された伝送用オーディオデータを一時記憶するデータ記憶手段、２０３は前記映像・音声信号源１００から出力される水平ブランク同期信号、及び映像データのピクセルクロックを用いてタイミング信号を生成し、このタイミング信号を用いて、前記データ記憶手段２０２に記憶された伝送用オーディオデータを、映像・音声信号源１００から出力される映像データの水平ブランキング期間の所定位置に重畳して、映像・オーディオデータ重畳信号を生成する映像・オーディオデータ重畳手段である。また、２０４はオーディオデータの入力端子、２０５は映像データの入力端子である。
【００５２】
以上のような構成を有するデータ送信装置１１０に、ディジタルオーディオデータが、映像・音声信号源１００のオーディオ処理部（図示せず）から、オーディオデータ入力端子２０４に入力され、また、ＤＶＩ規格で符号化された映像データが、映像・音声信号源１００の映像処理部（図示せず）から、映像データ入力端子２０５に入力される。そして、ディジタルオーディオデータはオーディオデータ加工手段２０１に入力され、映像データは映像・オーディオデータ重畳手段２０５に入力される。
【００５３】
そして、オーディオデータ加工手段２０１において、映像・音声信号源１００から出力される映像のピクセルクロックと、オーディオデータのサンプリング周波数とに基づいて所定の分周パラメータＮを決定し、前記分周パラメータＮと、該分周パラメータＮで分周後のオーディオクロックのＮ倍の周期を有する、伝送用オーディオクロックの周期を、ピクセルクロックでカウントしたカウント値ＣＴＳとを求め、前記分周パラメータ及びカウント値ＣＴＳ等を付加情報としてオーディオデータに付加し、伝送用オーディオデータｓ２０１を生成する。
【００５４】
ここで、図５を用いて、前記オーディオデータ加工手段２０１における、分周パラメータＮ及びカウント値ＣＴＳを生成する構成部分を説明する。なお、図では、クロックの流れのみを示し、データの流れは図示しない。
【００５５】
前記オーディオデータ加工手段２０１に入力されたオーディオクロック、及びピクセルクロックは、分周パラメータ決定手段３０１に入力され、オーディオデータのサンプリング周波数とピクセルクロックとにより、分周パラメータＮを決定し、出力する。なお、ここでは、オーディオクロックが、オーディオデータのサンプリング周波数の１２８倍のクロックであるものとする。
【００５６】
この分周パラメータＮは、分周パラメータ決定手段３０１内に予め、前記ピクセルクロック及びサンプリング周波数と分周パラメータＮとの関係を示すテーブルを設けておき、図５に示すように、該分周パラメータ決定手段３０１にピクセルクロック及びオーディオデータのサンプリング周波数を入力し、その入力されたオーディオクロック及びピクセルクロックに応じた所定の値をテーブルにより決定するものであってもよいし、また、ここでは図示しないが、例えば、映像・音声信号源がＣＤやＤＶＤ等で、前記データ送信装置１１０内に本データ伝送システムを制御する制御手段が設けられている場合、該制御手段により、直接ＣＤやＤＶＤ等の所定の領域からオーディオデータのサンプリング周波数及びピクセルクロックの値を取りこんで、前記オーディオデータ加工手段２０１における分周パラメータ決定手段３０１に対して出力し、その出力された値に応じた分周パラメータＮの値を、前記分周パラメータ決定手段３０１において決定するものであってもよい。なお、この分周パラメータＮがとりうる値、また、前記分周パラメータ決定手段３０１内に予め設けておくテーブルについては後述する。
【００５７】
そして、前記分周パラメータ決定手段３０１により決定された分周パラメータＮは、分周手段３０２に入力され、分周手段３０２において、オーディオクロックを分周パラメータＮで分周し、該オーディオクロックのＮ倍の周期を有する伝送用オーディオクロックｓ３０２を作成する。そして、伝送用オーディオクロックｓ３０２の周期を、カウンタ３０３において、ピクセルクロックでカウントし、そのカウンタ値ＣＴＳを出力する。
【００５８】
そして、図５には図示されていないが、上述のようにして求めた分周パラメータＮ、及びカウンタ値ＣＴＳ、あるいは加工後のデータ長等の付加情報を含むヘッダを、前記オーディオデータ加工手段２０１において、オーディオデータに付加し、さらに、データの多ビット化等、データ伝送に適した形態への変換処理を行って、伝送用オーディオデータｓ２０１を生成する。なお、図５においては、分周パラメータＮ及びカウンタ値ＣＴＳが、オーディオデータ加工手段２０１から出力されるよう図示されているが、これは、前述した伝送用オーディオデータｓ２０１に付加された状態で出力されることを意味する。
【００５９】
この後、オーディオデータ加工手段２０１で生成された伝送用オーディオデータｓ２０１は、データ記憶手段２０２に一時記憶され、映像・オーディオデータ重畳手段２０３で生成されるオーディオデータ重畳タイミング信号にあわせた読み込み信号ｓ２０２に従い、映像・オーディオデータ重畳手段２０３に入力される。
【００６０】
そして、映像・オーディオデータ重畳手段２０３において、映像・音声信号源１００から与えられる水平ブランク同期信号とピクセルクロックとを用いて、オーディオデータの重畳タイミング信号を生成する。すなわち、水平ブランク同期信号を受けた時からピクセルクロックを予め定められた個数であるｎ個をカウントしたタイミングで、読み込み信号ｓ２０２をデータ記憶手段２０２に対して出力し、データ記憶手段２０２に一時記憶された伝送用オーディオデータｓ２０１は、映像・オーディオデータ重畳手段２０３から出力される読み込み信号ｓ２０２に応じてデータ記憶手段２０２から映像・オーディオデータ重畳手段２０３に入力され、映像データの水平ブランキング期間の所定の位置に重畳される。例えば、映像データの水平周波数が１５．７５ｋＨｚであり、オーディオデータのサンプリング周波数が４８ｋＨｚであるとすると、映像データの１水平走査期間は約６３．５μ秒であり、音声データの１サンプリング期間は約２０．８μ秒であるので、１水平ラインで３フレームの音声データを送る処理を数十回行う毎に、１水平ラインで４フレームの音声データを送る処理を１回行うように、２つの処理を組み合わせることで、映像に対するオーディオの遅延を生じさせることなく伝送できる。
【００６１】
このように、本実施の形態のデータ送信装置１１０は、映像データに、分周パラメータＮやカウント値ＣＴＳ等を付加した加工後の伝送用オーディオデータｓ２０１を重畳して、映像・オーディオデータ重畳信号ｓ２０４を生成し、該信号ｓ２０４をＤＶＩ用ケーブル１２０を介してデータ受信装置１３０に送信する。
【００６２】
次に、図６は、本実施の形態のデジタル伝送システムにおけるデータ受信装置の構成を示すブロック図であり、図７は、データ受信装置のオーディオクロック生成手段におけるオーディオクロックを生成する構成部分のブロック図である。図６において、４０１はデータ送信装置１１０からＤＶＩ用ケーブル１２０を介して伝送された水平ブランク同期信号とピクセルクロックとを用いて、映像・オーディオデータ重畳信号ｓ２０４からオーディオデータを抽出するタイミング信号であるオーディオデータ抽出信号ｓ４０１を生成するオーディオデータ抽出信号生成手段、４０２は前記オーディオデータ抽出信号生成手段４０１が出力するオーディオデータ抽出信号ｓ４０１と、前記データ送信装置１１０において伝送用オーディオデータｓ２０１に付加されたオーディオデータのデータ長を示す情報とに基づいて、入力端子４０６から入力される映像・オーディオデータ重畳信号ｓ２０４を、映像データと、伝送用オーディオデータｓ２０１とに分離して出力する映像・オーディオデータ分離手段、４０３は前記データ送信装置１１０からＤＶＩ用ケーブル１２０を介して伝送されたピクセルクロックを、前記データ送信装置１１０において伝送用オーディオデータｓ２０１に付加されたカウント値ＣＴＳに基づいて分周し、位相制御してオーディオクロックｓ４０３を生成するオーディオクロック生成手段、４０４は前記映像・オーディオデータ分離手段４０２により分離出力された伝送用オーディオデータｓ２０１を記憶し、記憶した伝送用オーディオデータｓ２０１を、前記オーディオクロック生成手段４０３が出力するオーディオクロックｓ４０３に基づいて出力するデータ記憶手段、４０５は前記データ記憶手段４０４から出力される伝送用オーディオデータｓ２０１を、オーディオクロック生成手段４０３から出力されるオーディオクロックｓ４０３に基づいて順次アナログオーディオ信号に変換して出力するＤ／Ａコンバータである。
【００６３】
以上のような構成を有するデータ受信装置１３０に、データ送信装置１１０からＤＶＩ用ケーブル１２０を介して、水平ブランク同期信号、ピクセルクロック、及び映像・オーディオデータ重畳信号ｓ２０４が入力され、水平ブランク同期信号、及びピクセルクロックが、オーディオデータ抽出信号生成手段４０１に入力されると、水平ブランク同期信号を受けた時からピクセルクロックを予め定められた個数であるｎ個をカウントしたタイミングで、オーディオデータ抽出信号ｓ４０１を出力する。
【００６４】
そして、オーディオデータ抽出信号生成手段４０１で生成されたオーディオデータ抽出信号ｓ４０１は、映像・オーディオデータ分離手段４０２に供給され、映像・オーディオデータ分離手段４０２では、オーディオデータ抽出信号ｓ４０１を受けたタイミングから、伝送用オーディオデータｓ２０１のヘッダに記述されたオーディオデータのデータ長分のデータを、映像・オーディオデータ重畳信号ｓ２０４から分離して出力することにより、映像データの水平ブランキング期間の所定位置に配置されたオーディオデータを分離抽出する。この分離されたオーディオデータは、一時的にデータ記憶手段４０４に記憶される。
そして、オーディオクロック生成手段４０３において、前記ピクセルクロックを、前記データ送信装置１１０において伝送用オーディオデータｓ２０１に付加された分周パラメータＮに基づいて分周し、オーディオクロックｓ４０３を作成する。
【００６５】
ここで、図７を用いて、オーディオクロック生成手段４０３内の、オーディオクロックを生成する構成について説明する。
図７において、オーディオクロック生成手段４０３に入力されたピクセルクロック、及び伝送用オーディオデータｓ２０１に含まれる付加情報であるカウント値ＣＴＳは、第１の分周手段５０１に入力され、該第１の分周手段５０１において、前記ピクセルクロックは、前記カウント値ＣＴＳで分周される。そして、分周後のピクセルクロックのＣＴＳ倍の周期を有する分周クロックｓ５０１は、位相制御手段５０６に入力され、該位相制御手段５０６内で生成された位相比較クロックｓ５０５により位相制御され、オーディオクロックｓ４０３が生成される。
【００６６】
前記位相制御手段５０６は、入力される分周クロックｓ５０１と、第２の分周手段５０５により生成される位相比較クロックｓ５０５の位相との位相差を検出して、その位相差に基づいて制御信号を出力する位相検出器５０２と、ローパスフィルタ５０３と、前記位相検出器５０２から出力される制御信号に基づいてオーディオクロックｓ４０３を発振するＶＣＯ５０４と、該ＶＣＯ５０４から発振されるオーディオクロックｓ４０３を分周パラメータＮで分周し、位相比較クロックを生成する第２の分周手段５０５とからなり、前記第１の分周手段５０１で生成された分周クロックｓ５０１の位相と、前記第２の分周手段５０５から出力される位相比較クロックｓ５０５の位相との位相差に基づいて、前記位相検出器５０２で生成される制御信号によりＶＣＯ５０４を制御して、オーディオクロックｓ４０３を生成するものである。なお、図７においては、分周パラメータＮ、及びカウンタ値ＣＴＳが、オーディオクロック生成手段４０３に入力されるよう図示されているが、これは、前述した伝送用オーディオデータｓ２０１に付加された状態で入力されていることを意味する。
【００６７】
この後、図示されていないが、前記オーディオクロック生成手段４０３において生成されたオーディオクロックｓ４０３を更に分周し、Ｌ／Ｒクロック（オーディオのサンプリングクロックである。一般には、ハイの部分でＬｃｈのデータを、ローの部分でＲｃｈのデータが伝送される。）と、ビットクロック（Ｌ／Ｒクロックに同期し、オーディオのデータを決定するためのクロックであり、シリアルにデータを伝送する場合に用いられる。一般には、サンプリング周波数の６４倍または３２倍のクロックであり、１クロックで１ビットのデータが決定される。）とを作成する。
【００６８】
そして、データ記憶手段４０４は、記憶したオーディオデータｓ２０１を、また、オーディオクロック生成手段４０３は、生成したオーディオクロックｓ４０３を、Ｄ／Ａコンバータ４０５に対し出力する。Ｄ／Ａコンバータ４０５は、データ記憶手段４０４からビットクロックに同期したディジタルオーディオデータを受け、オーディオクロック生成手段４０３で生成された３種類のクロック信号（オーディオクロック，Ｌ／Ｒクロック，ビットクロック）を用いて、ディジタルオーディオデータをアナログオーディオ信号に変換する。
【００６９】
このように、本実施の形態においては、前記データ送信装置１１０から、ピクセルクロックと、映像・オーディオデータ重畳信号ｓ２０４を、ＤＶＩ用ケーブル１２０を介して受信し、前記信号ｓ２０４に重畳されている伝送用オーディオデータに含まれるカウント値ＣＴＳで、ピクセルクロックを分周した分周クロックｓ５０１の位相と、前記信号ｓ２０４に重畳されている伝送用オーディオデータに含まれる分周パラメータＮで、オーディオクロックを分周した位相比較クロックｓ５０５の位相との位相差で位相制御し、オーディオクロックｓ４０３を生成する。
【００７０】
以下、分周パラメータＮのとりうる値について、詳細に説明する。
分周パラメータＮは、上述したデータ受信装置１３０内のデータクロック生成手段５０３の構成からも明らかなようにの以下の式を満たす値であればよい。
オーディオクロック×ＣＴＳ＝ピクセルクロック×Ｎ　・・・（式１）
（ただし、Ｎ，ＣＴＳは整数）
そして、上述の（式１）を満たす分周パラメータＮが小さければ小さいほど、前記オーディオクロック生成手段４０３における第２の分周手段５０５から出力される位相比較クロックｓ５０５（＝オーディオクロック／Ｎ）の周波数が高くなり、それに伴いオーディオクロックｓ４０３の周波数も高くなるので、オーディオクロック生成手段４０３における同期引き込み時間を短縮することができるという長所はあるが、生成されるオーディオクロックｓ４０３はジッタが多くなってしまい、なめらかな高品質のオーディオデータが得られない欠点がある。一方、分周パラメータＮが大きければ大きいほど、第２の分周手段５０５から出力される位相比較クロックｓ５０５（＝オーディオクロック／Ｎ）の周波数が低くなり、オーディオクロックｓ４０３の周波数も低くなるので、オーディオクロック生成手段４０３における、同期引き込み時間が長くなってしまう欠点があるが、逆に、ジッタの少ないオーディクロックｓ４０３を生成することができ、なめらかな高品質のオーディオデータを生成することができる長所がある。
【００７１】
そこで、本実施の形態においては、上述した（式１）に加え、以下に示す（式２）の制限をさらに加える。
３００Ｈｚ≦オーディオクロック／Ｎ≦３０００Ｈｚ・・・（式２）
（式２）に示すように、オーディオクロック／Ｎ、つまり、位相比較クロックｓ５０５の周波数を３００Ｈｚ以上にすれば、同期引き込み時間を１００ｍｓ以下にすることができ、オーディオクロック生成手段４０３における、同期引き込み時間を適度な時間とすることができ、また、本データ伝送システムの装置間でデータ送受信中に、データのモードが変更された場合、つまり、データ送信装置１１０から送信されるデータのピクセルクロックの値、あるいはオーディオデータサンプリング周波数の値が変更された場合には、オーディオクロック生成手段４０３において、再度同期引き込みをする必要があるのであるが、上述のように位相比較クロックｓ５０５の周波数を３００Ｈｚ以上にすれば、その同期引き込み時間を１００ｍｓ以内にすることができ、モード変換後、オーディオクロックを再度作成し、そのクロックを基にオーディオデータを再生するまでにかかる時間を適度な時間に抑えることができる。
【００７２】
一方、（式２）に示すように、位相比較クロックｓ５０５（＝オーディオクロック／Ｎ）の周波数を３０００Ｈｚ以下にすれば、クロックジッタの高周波成分を抑制できるという効果がある。特に、最近ではＤ／Ａコンバータとして、その性能のよさと、低コストという理由により１ビットＤ／Ａコンバータがよく使用されるが、その１ビットＤ／Ａコンバータは、ジッタによる影響をうけやすく、オーディオクロックには、低いジッタが要求される。このような場合、（式１）に、位相比較クロックｓ５０５の周波数を３０００Ｈｚ以下にするという制限を加え、クロックジッタを抑制することは、Ｄ／Ａコンバータ４０５でオーディオデータを再生するときに、より大きな効果をもたらすこととなる。
【００７３】
ここで、図８〜図２６を用いて、各種ピクセルクロック、各種オーディオデータのサンプリング周波数における、上記２式を満たした分周パラメータＮの値と、その際のカウント値ＣＴＳ、及び位相比較クロックの周波数（ｋＨｚ）を示す。
図８〜図２６は、各種ピクセルクロックが、２５．１／１．００１ＭＨｚ，２５．２ＭＨｚ，２７ＭＨｚ，２７．１×１．００１ＭＨｚ，５４ＭＨｚ，７４．２５／１．００１ＭＨｚ，７４．２５ＭＨｚ，１４８．５／１．００１ＭＨｚ，１４８ＭＨｚであり、各種オーディオデータのサンプリング周波数が３２ｋＨｚ，４４．１ｋＨｚ，４８ｋＨｚであるときに、それぞれとりえる分周パラメータＮと、カウント値ＣＴＳと、位相比較クロックの周波数ｒｅｆ（Ｈｚ）の値を示す図である。なお、図８〜図２６で示される分周パラメータＮは、オーディオクロックが、オーディオデータのサンプリング周波数の１２８倍のクロックである場合の値である。
【００７４】
例えば、図８は、ピクセルクロックが２７．５／１．００１ＭＨｚ、且つ、オーディオデータのサンプル周波数が３２ｋＨｚ、４４．１ｋＨｚ、４８ｋＨｚのそれぞれである場合の、上記２式を満たす分周パラメータＮ、カウント値ＣＴＳ、位相比較クロックの周波数、を示している。
【００７５】
そして、データ送信装置１１０内のオーディオデータ加工手段２０１における、分周パラメータ決定手段３０１において、例えば、２７．５／１．００１ＭＨｚのピクセルクロックと、３２ｋＨｚのオーディオクロック（ここでは、３２ｋＨｚの１２８倍のクロック）とが入力されたとすると、図８のオーディオデータサンプリング周波数３２ｋＨｚの部分に記載されている分周パラメータＮ（Ｎ＝４５７６，９１５２）を取り得る。
【００７６】
しかし、ピクセルクロックが７４．２５／１．００１ＭＨｚで、且つオーディオデータサンプリング周波数が３２ｋＨｚの場合は、（式２）を満たす値がない（図２３参照）。従って、位相比較クロックの周波数を３００Ｈｚ以上にするために、位相比較クロックの周波数０．１７６ｋＨｚ（Ｎ＝２３２９６，ＣＴＳ＝４２１８７５）を２倍することよって、位相比較クロックの周波数を０．３５２ｋＨｚ（Ｎ＝１１６４８，ＣＴＳ＝２１０９３７〜２１０９３８）とし、位相比較クロックの周波数を３００Ｈｚ以上にする。なお、位相比較クロックの周波数を０．３５２ｋＨｚ（Ｎ＝１１６４８，ＣＴＳ＝２１０９３７〜２１０９３８）とした場合、（式１）によりカウント値ＣＴＳを求めると、計算上は２１０９３７．５となるが、実際オーディオデータ加工手段２０１におけるカウンタ３０３においてカウントされるときには、２１０９３７と２１０９３８との２つの数が交互に得られることになる。このように、カウンタ３０３において、カウント値ＣＴＳとして２値（２１０９３７と２１０９３８）をとることは、受信側で生成されるオーディオクロックに、ジッタが発生しやすくなることとなる。しかし、高品質のなめらかなオーディオデータが必要とされるのは、オーディオデータサンプリング周波数が、少なくとも、ＤＶＤ等で使用される９６ｋＨｚや、１９２ｋＨｚの場合であり、３２ｋＨｚの場合は、多少オーディオデータの質が悪くなったとしても問題はない。
【００７７】
以上に示すように、分周パラメータＮは、図８〜図２６に挙げた値をとりうるものである。そして、本データ伝送システムにおいて、同期引き込み時間の短縮の効果を重視する場合は、位相比較クロックの周波数が３０００Ｈｚに近くなるような分周パラメータＮを選択して、オーディオデータ加工手段２０１における分周パラメータ決定手段３０１に設定すればよく、また、クロックジッタを抑制し高品質のオーディオデータを生成したい場合には、位相比較クロックの周波数が３００Ｈｚに近くなるような分周パラメータＮを選択して、分周パラメータ決定手段３０１に設定すればよい。
【００７８】
さらに、上記説明においては、分周パラメータＮを決定する式として、（式１）を（式２）で制限するものとしたが、（式１）を、以下に示す（式３）で制限するようにしてもよい。
オーディオクロック／Ｎ≒１０００Ｈｚ　・・・（式３）
このようにすれば、上述した２つの効果が同時に得られ、引き込み時間の短縮を図ると共に、ジッタを抑制して高品質のオーディオデータを生成することができる。この（式１）を（式３）で制限した場合の、各種ピクセルクロック、及び各種オーディオデータのサンプリング周波数における、具体的な分周パラメータＮの値は、図２７及び図２８に示し、これらの値を分周パラメータＮの推奨パラメータとする。図２７及び図２８は、分周パラメータＮが推奨パラメータである場合の、カウント値ＣＴＳ、及び位相比較クロックの周波数（ｋＨｚ）を示す図である。
【００７９】
この図２７及び図２８に示される推奨パラメータを、前記分周パラメータ決定手段３０１内にテーブルとして設けておけば、データ送信装置１１０に入力された映像データのピクセルクロック、及びオーディオデータのサンプリング周波数から、自動的に分周パラメータＮが決定でき、本データ伝送システムの回路設計を簡単にすることができる。
【００８０】
なお、上述の説明においては、オーディオクロック／Ｎ≒１０００Ｈｚとなる分周パラメータＮを、推奨パラメータとしたが、図２７及び図２８に示すように、オーディオデータサンプリング周波数が、４４．１ｋＨｚ、８８．２ｋＨｚ、１７６．４ｋＨｚの場合は、オーディオクロック／Ｎ≒９００Ｈｚとなる分周パラメータＮを推奨パラメータとする。
【００８１】
この理由としては、例えば、オーディオデータサンプリング周波数が４４．１ｋＨｚの場合に、オーディオクロック／Ｎ≒１０００Ｈｚとなる分周パラメータＮを、図８〜図２６からピックアップした場合、図３０に示すように、それぞれのピクセルクロックで、推奨パラメータである分周パラメータＮの値が異なってしまう。しかし、上述したように、オーディオクロック／Ｎ≒９００Ｈｚとなる分周パラメータＮを推奨パラメータとすれば、図２７及び図２８に示されるように、Ｎ＝６２７２という値をとる確率が高くなり、分周パラメータＮに共通性がでてくる。これにより、本データ伝送システムにおける回路設計を簡単にすることができ、装置コストを削減できる。
【００８２】
さらに、上述の説明においては、ピクセルクロックが、２５．１／１．００１ＭＨｚ、２５．２ＭＨｚ、２７ＭＨｚ、２７．１×１．００１ＭＨｚ、５４ＭＨｚ、７４．２５／１．００１ＭＨｚ、７４．２５ＭＨｚ、１４８．５／１．００１ＭＨｚ、１４８ＭＨｚの場合について、分周パラメータＮが取り得る具体的な値を挙げて説明したが、これら以外のピクセルクロックが本伝送システムに入力される可能性もある。その場合、図２７及び図２８の“ｏｔｈｅｒｓ”の段に示す分周パラメータを使用するようにする。この“ｏｔｈｅｒｓ”にかかれた分周パラメータＮの値は、各オーディオデータサンプリング周波数毎に示された、推奨パラメータである分周パラメータＮのうち、共通性の高い値（例えば、オーディオデータサンプリング周波数が３２ｋＨｚの場合は、分周パラメータＮ＝４０９６、オーディオデータサンプリング周波数が４４．１ｋＨｚの場合は、分周パラメータＮ＝６２７２）である。このようにすれば、本伝送システムにおいて、上記以外のピクセルクロックが入力された場合であっても、ジッタの発生を抑制し、高品質なオーディオデータを生成することができ、また、回路設計が簡単になり、装置コストを削減できる。
【００８３】
以上のように、本実施の形態によれば、データ送信装置１１０側から、水平ブランク同期信号とピクセルクロックを用いて生成した重畳タイミングでオーディオデータを映像データの水平ブランキング期間に重畳してなる映像・オーディオデータ重畳信号ｓ２０４を、水平ブランク同期信号及びピクセルクロックとともにＤＶＩ用ケーブル１２０を介してデータ受信装置１３０側に対して伝送し、データ受信装置１３０側において、伝送された水平ブランク同期信号とピクセルクロックとを用いて映像・オーディオデータ重畳信号ｓ２０４からオーディオデータを抽出するタイミング信号を生成し、このタイミング信号を用いて映像・オーディオデータ重畳信号ｓ２０４を映像データとオーディオデータに分離するとともに、ピクセルクロックを分周して生成したオーディオクロックを用いてディジタルオーディオデータをアナログオーディオ信号に変換するようにしたので、映像データを伝送する既存のインターフェイスを用いて、簡単かつ良好にオーディオデータを伝送することができる。すなわち、ＤＶＩ規格として規格化された既存のデジタル映像データを伝送するシステムを利用して、同じ信号ケーブルでオ―ディオデータを伝送することが可能となる。特に、本実施の形態では、映像データの伝送処理自体は既存のままで、水平ブランク同期信号とピクセルクロックを用いてタイミング信号を生成し、このタイミング信号を用いてオーディオデータの重畳、及び分離を行うようにしたので、映像データの伝送処理機構構成については、従来のＤＶＩ規格を全く変更する必要がなく、送信側、受信側ともにＤＶＩ規格用に用意された映像データの処理ブロックがそのまま使用できる。
【００８４】
また、本実施の形態においては、前記データ受信装置１３０側において生成するオーディオクロックを、データ送信装置１１０側で、入力される映像信号のピクセルクロック及びオーディオデータのオーディオデータサンプリング周波数に基づいて決定した分周パラメータＮ、及び該分周パラメータＮで分周後のオーディオクロックの周期をピクセルクロックでカウントしたカウント値ＣＴＳに基づいて生成するようにし、該分周パラメータＮを、３００Ｈｚ≦オーディオクロック／Ｎ≦３０００Ｈｚの範囲としたので、データ受信装置１３０側でオーディオクロックｓ４０３を生成する際の同期引き込み時間を１００ｍｓ以内にすることができ、さらに、クロックジッタの高周波成分を抑制して、高品質のオーディデータを生成することができる。
【００８５】
なお、上述した実施の形態では、オーディオクロックが、オーディオデータのサンプリング周波数の１２８倍である場合を例に挙げて説明したが、このオーディオクロックは、例えば、サンプリング周波数２５６倍、あるいは３８４倍であってもよく、その場合、図８〜図３０に示した分周パラメータＮは、サンプリング周波数が２５６倍のときは各図に示す分周パラメータＮのＮ／２の値をとるものとし、また、３８４倍のときはＮ／３の値をとるものとする。
【００８６】
また、上述した実施の形態では、水平ブランク同期信号とピクセルクロックを用いてタイミング信号を生成し、このタイミング信号を用いてオーディオデータを画像データの水平ブランキング期間の所定の位置に重畳するものについて説明したが、垂直ブランク同期信号とピクセルクロックを用いてタイミング信号を生成し、このタイミング信号を用いてオーディオデータを画像データの垂直ブランキング期間の所定の位置に重畳するようにしてもよい。
【００８７】
また、上述した実施の形態では、１チャンネルのデジタルオーディオデータを伝送するものについて説明したが、２チャンネルのデジタルオーディオデータを伝送する場合や、３チャンネル以上のデジタルオーディオデータを伝送する場合にも本発明は適応可能である。
【００８８】
また、上述した実施の形態では、一定のサンプリングレートのデジタルオーディオデータが配置されたパケットを伝送するようにしたが、所定の方式（たとえばＡＣ３方式やＡＡＣ方式等）で圧縮符号化されたデジタルオーディオデータをパケット内に配置して伝送するようにしても良い。
また、上述した実施の形態では、ＤＶＩ規格の伝送路を使用して映像データにオーディオデータを多重化して伝送するようにしたが、その他の映像データ伝送用の規格を適用しても良い。この場合、伝送路は有線のケーブルで接続される伝送路の他に、無線伝送される伝送路を使用しても良い。
【００８９】
【発明の効果】
以上のように、本発明（請求項１）に係るデータ送信装置によれば、映像音声データをデジタルディスプレイ接続用のインターフェースを介して送信するデータ送信装置であって、音声データを加工して伝送用オーディオデータを出力するデータ加工手段と、映像データを前記伝送用オーディオデータと重畳して映像音声データを出力するデータ重畳手段とを備え、前記データ加工手段は、前記音声データの基準クロックであるオーディオクロックを、所定の分周パラメータＮで分周し、該オーディオクロックのＮ倍の周期を有する伝送用オーディオクロックを生成する分周手段と、前記分周手段により生成された前記伝送用オーディオクロックの周期を、映像データの基準クロックであるピクセルクロックでカウントし、そのカウント値ＣＴＳを出力するカウント手段とを有し、前記音声データに前記分周パラメータＮ及び前記カウント値ＣＴＳを含む付加情報を付加して、前記伝送用オーディオデータを生成するものであり、前記伝送用オーディオクロックは、その周波数が３００Ｈｚ以上のクロックであるようにしたので、既存の映像データを伝送するための構成をそのまま生かした上で、映像データを伝送するための伝送路を使用して、映像データとオーディオデータを同時に伝送することができ、また、送信側から分周後のクロックの周波数が３００Ｈｚ以上となる分周パラメータＮ、及びカウント値ＣＴＳを伝送するので、受信側でオーディオクロックを生成する際、同期引き込みの時間を短縮でき、且つデータ受信中に、そのデータのピクセルクロックあるいはオーディオデータサンプル周波数が変更された場合であっても、再度行われる同期引き込み時間を短縮することができるオーディオクロックを生成するようにすることができる。
【００９０】
また、本発明（請求項２）によれば、映像音声データをデジタルディスプレイ接続用のインターフェースを介して送信するデータ送信装置であって、音声データを加工して伝送用オーディオデータを出力するデータ加工手段と、映像データを前記伝送用オーディオデータと重畳して映像音声データを出力するデータ重畳手段とを備え、前記データ加工手段は、前記音声データの基準クロックであるオーディオクロックを、所定の分周パラメータＮで分周し、該オーディオクロックのＮ倍の周期を有する伝送用オーディオクロックを生成する分周手段と、前記分周手段により生成された前記伝送用オーディオクロックの周期を、映像データの基準クロックであるピクセルクロックでカウントし、そのカウント値ＣＴＳを出力するカウント手段とを有し、前記音声データに前記分周パラメータＮ及び前記カウント値ＣＴＳを含む付加情報を付加して、前記伝送用オーディオデータを生成するものであり、前記伝送用オーディオクロックは、その周波数が３０００Ｈｚ以下のクロックであるようにしたので、既存の映像データを伝送するための構成をそのまま生かした上で、映像データを伝送するための伝送路を使用して、映像データとオーディオデータを同時に伝送することができ、また、送信側から分周後のクロックの周波数が３０００Ｈｚ以下となる分周パラメータＮ、及びカウント値ＣＴＳを伝送するので、受信側でオーディオクロックを生成する際、クロックジッタを抑制し高品質なオーディオデータの生成を可能にするオーディオクロックを生成するようにすることができる。
【００９１】
また、本発明（請求項３）によれば、映像音声データをデジタルディスプレイ接続用のインターフェースを介して送信するデータ送信装置であって、音声データを加工して伝送用オーディオデータを出力するデータ加工手段と、映像データを前記伝送用オーディオデータと重畳して映像音声データを出力するデータ重畳手段とを備え、前記データ加工手段は、前記音声データの基準クロックであるオーディオクロックを、所定の分周パラメータＮで分周し、該オーディオクロックのＮ倍の周期を有する伝送用オーディオクロックを生成する分周手段と、前記分周手段により生成された前記伝送用オーディオクロックの周期を、映像データの基準クロックであるピクセルクロックでカウントし、そのカウント値ＣＴＳを出力するカウント手段とを有し、前記音声データに前記分周パラメータＮ及び前記カウント値ＣＴＳを含む付加情報を付加して、前記伝送用オーディオデータを生成するものであり、前記伝送用オーディオクロックは、その周波数が３００Ｈｚ以上、且つ３０００Ｈｚ以下のクロックであるようにしたので、既存の映像データを伝送するための構成をそのまま生かした上で、映像データを伝送するための伝送路を使用して、映像データとオーディオデータを同時に伝送することができ、また、送信側から分周後のクロックの周波数が３００Ｈｚ以上、且つ３０００Ｈｚ以下となる分周パラメータＮ、及びカウント値ＣＴＳを伝送するので、受信側でオーディオクロックを生成する際に同期引き込み時間を短縮できる、あるいはクロックジッタを抑制し高品質なオーディオデータの生成を可能にする、オーディオクロックを生成するようにすることができる。
【００９２】
また、本発明（請求項３１）によれば、映像音声データをデジタルディスプレイ接続用のインターフェースを介して受信するデータ受信装置であって、前記映像音声データに含まれる映像データと伝送用オーディオデータとを分離する映像音声データ分離手段と、前記映像データの基準クロックであるピクセルクロックと、前記伝送用オーディオデータに付加された分周パラメータＮとに基づいて、音声データの基準クロックであるオーディオクロックを生成するオーディオクロック生成手段とを備え、該オーディオクロック生成手段は、制御信号に基づいて前記オーディオクロックを発生する発信器と、前記ピクセルクロックを、前記伝送用オーディオデータに含まれているカウント値ＣＴＳで分周し、前記ピクセルクロックのＣＴＳ倍の周期を有する分周クロックを生成する分周手段と、前記分周クロックの位相と、前記オーディオクロックを分周パラメータＮで分周した位相比較クロックの位相との位相差に基づいて生成される前記制御信号により、前記発信器を制御する位相制御手段と、を備えるようにしたので、既存の映像データを伝送するための構成をそのまま生かした上で、映像データを伝送するための伝送路を使用して、映像データとオーディオデータを同時に伝送することができ、また、受信側でオーディオクロックの同期を維持したオーディオクロックを生成することができる。
【００９３】
また、本発明（請求項３２）によれば、請求項３１に記載のデータ受信装置において、前記位相制御手段は、前記分周手段により生成された分周クロックの位相と、１０００Ｈｚに最も近い周波数を有する前記位相比較クロックの位相との位相差に基づいて、前記発信器を制御するようにしたので、受信側でオーディオクロックを生成する際、同期引き込みの時間を短縮できると共に、クロックジッタの発生を抑制することができる。
【００９４】
また、本発明（請求項３３）によれば、請求項３１に記載のデータ受信装置において、前記音声データのサンプリング周波数が４４．１ｋＨｚの場合、前記位相制御手段は、前記分周手段により生成された分周クロックの位相と、９００Ｈｚに最も近い周波数を有する前記位相比較クロックの位相との位相差に基づいて、前記発信器を制御するようにしたので、受信側でオーディオクロックを生成する際、同期引き込みの時間を短縮できると共に、クロックジッタの発生を抑制することができ、さらに、分周パラメータＮの値に共通性をもたせることができ、データ受信装置の回路設計を簡単にして、装置作成のコストを削減することができる。
【００９５】
また、本発明（請求項３４）によれば、請求項３１に記載のデータ受信装置において、前記音声データのデータサンプリング周波数が３２ｋＨｚ、あるいは４８ｋＨｚで、且つ、前記ピクセルクロックが、２５．２／１．００１ＭＨｚ、２５．０２２ＭＨｚ、２７．０００ＭＨｚ、２７．０×１．００１ＭＨｚ、５４．０００ＭＨｚ、７４．２５／１．００１ＭＨｚ、７４．２５ＭＨｚ、１４８．５／１．００１ＭＨｚ、及び１４８．５ＭＨｚ以外である場合、前記分周パラメータＮ（Ｎは整数）は、前記ピクセルクロックを分周パラメータＮで分周した位相比較クロックの周波数が、１０００Ｈｚに最も近い周波数となるように決定されるものであるようにしたので、上述のピクセルクロック以外のピクセルクロックが入力されても、受信側にて同期性を維持したオーディオクロックを作成することができ、さらに、データ受信装置の回路設計を簡単にして、装置作成のコストを削減することができる。
【００９６】
また、本発明（請求項３５）によれば、請求項３１に記載のデータ受信装置において、前記音声データのデータサンプリング周波数が４４．１ｋＨｚで、且つ、前記ピクセルクロックが、２５．２／１．００１ＭＨｚ、２５．０２２ＭＨｚ、２７．０００ＭＨｚ、２７．０×１．００１ＭＨｚ、５４．０００ＭＨｚ、７４．２５／１．００１ＭＨｚ、７４．２５ＭＨｚ、１４８．５／１．００１ＭＨｚ、及び１４８．５ＭＨｚ以外である場合、前記分周パラメータＮ（Ｎは整数）は、前記ピクセルクロックを分周パラメータＮで分周した位相比較クロックの周波数が、９００Ｈｚに最も近い周波数となるように決定されるものであるようにしたので、上述のピクセルクロック以外のピクセルクロックが入力されても、受信側にて同期性を維持したオーディオクロックを作成することができ、さらに、データ受信装置の回路設計を簡単にして、装置作成のコストを削減することができる。
【図面の簡単な説明】
【図１】本発明の実施の形態によるシステム全体の構成を示すブロック図である。
【図２】ＤＶＩフォーマットで伝送される映像データにオーディオデータを重畳する動作を説明するための図である。
【図３】ディジタルオーディオデータの構成の一例を示す図である。
【図４】本発明の実施の形態によるデータ送信装置の構成を示すブロック図である。
【図５】本発明の実施の形態によるデータ送信装置における、オーディオデータ加工手段における、分周パラメータＮ、及びカウント値ＣＳＴを求める構成部分を示すブロック図である。
【図６】本発明の実施の形態によるデータ受信装置の構成を示すブロック図である。
【図７】本発明の実施の形態によるデータ送信装置の、オーディオクロック生成手段の構成を示すブロック図である。
【図８】本発明の実施の形態において、ピクセルクロックが２５．１／１．００１ＭＨｚの場合に、分周パラメータＮがとりうる値を示す図であり、図（ａ）はオーディオサンプリング周波数が３２ｋＨｚ、図（ｂ）はオーディオサンプリング周波数が４４．１ｋＨｚ、図（ｃ）はオーディオサンプリング周波数が４８ｋＨｚの場合である。
【図９】本発明の実施の形態において、ピクセルクロックが２５．２ＭＨｚ、且つオーディオサンプリング周波数が３２ｋＨｚの場合に、分周パラメータＮがとりうる値を示す図である。
【図１０】本発明の実施の形態において、ピクセルクロックが２５．２ＭＨｚ、且つオーディオサンプリング周波数が４４．１ｋＨｚの場合に、分周パラメータＮがとりうる値を示す図である。
【図１１】本発明の実施の形態において、ピクセルクロックが２５．２ＭＨｚ、且つオーディオサンプリング周波数が４４．１ｋＨｚの場合に、分周パラメータＮがとりうる値を示す図である。
【図１２】本発明の実施の形態において、ピクセルクロックが２５．２ＭＨｚ、且つオーディオサンプリング周波数が４４．１ｋＨｚの場合に、分周パラメータＮがとりうる値を示す図である。
【図１３】本発明の実施の形態において、ピクセルクロックが２５．２ＭＨｚ、且つオーディオサンプリング周波数が４４．１ｋＨｚの場合に、分周パラメータＮがとりうる値を示す図である。
【図１４】本発明の実施の形態において、ピクセルクロックが２５．２ＭＨｚ、且つオーディオサンプリング周波数が４４．１ｋＨｚの場合に、分周パラメータＮがとりうる値を示す図である。
【図１５】本発明の実施の形態において、ピクセルクロックが２５．２ＭＨｚ、且つオーディオサンプリング周波数が４４．１ｋＨｚ（図（ａ））、及びピクセルクロックが２５．２ＭＨｚ、且つオーディオサンプリング周波数が４８ｋＨｚ（図（ｂ））の場合に、分周パラメータＮがとりうる値を示す図である。
【図１６】本発明の実施の形態において、ピクセルクロックが２５．２ＭＨｚ、且つオーディオサンプリング周波数が４８ｋＨｚの場合に、分周パラメータＮがとりうる値を示す図である。
【図１７】本発明の実施の形態において、ピクセルクロックが２７ＭＨｚ、且つオーディオサンプリング周波数が３２ｋＨｚ（図（ａ））、及びピクセルクロックが２７ＭＨｚ、且つオーディオサンプリング周波数が４４．１ｋＨｚ（図（ｂ））の場合に、分周パラメータＮがとりうる値を示す図である。
【図１８】本発明の実施の形態において、ピクセルクロックが２７ＭＨｚ、且つオーディオサンプリング周波数が４８ｋＨｚの場合に、分周パラメータＮがとりうる値を示す図である。
【図１９】本発明の実施の形態において、ピクセルクロックが２７．０×１．００１ＭＨｚの場合に、分周パラメータＮがとりうる値を示す図であり、図（ａ）はオーディオサンプリング周波数が３２ｋＨｚ、図（ｂ）はオーディオサンプリング周波数が４４．１ｋＨｚ、図（ｃ）はオーディオサンプリング周波数が４８ｋＨｚの場合である。
【図２０】本発明の実施の形態において、ピクセルクロックが５４．０ＭＨｚ、且つオーディオサンプリング周波数が３２ｋＨｚ（図（ａ））、及びピクセルクロックが５４．０ＭＨｚ、且つオーディオサンプリング周波数が４４．１ｋＨｚ（図（ｂ））の場合に、分周パラメータＮがとりうる値を示す図である。
【図２１】本発明の実施の形態において、ピクセルクロックが５４．０ＭＨｚ、且つオーディオサンプリング周波数が４４．１ｋＨｚ（図（ａ））、及びピクセルクロックが５４．０ＭＨｚ、且つオーディオサンプリング周波数が４８ｋＨｚ（図（ｂ））の場合に、分周パラメータＮがとりうる値を示す図である。
【図２２】本発明の実施の形態において、ピクセルクロックが５４．０ＭＨｚ、且つオーディオサンプリング周波数が４８ｋＨｚの場合に、分周パラメータＮのとりうる値を示す図である。
【図２３】本発明の実施の形態において、ピクセルクロックが７４．２５／１．００１ＭＨｚの場合に、分周パラメータＮがとりうる値を示す図であり、図（ａ）はオーディオサンプリング周波数が３２ｋＨｚ、図（ｂ）はオーディオサンプリング周波数が４４．１ｋＨｚ、図（ｃ）はオーディオサンプリング周波数が４８ｋＨｚの場合である。
【図２４】本発明の実施の形態において、ピクセルクロックが７４．２５ＭＨｚの場合に、分周パラメータＮがとりうる値を示す図であり、図（ａ）はオーディオサンプリング周波数が３２ｋＨｚ、図（ｂ）はオーディオサンプリング周波数が４４．１ｋＨｚ、図（ｃ）はオーディオサンプリング周波数が４８ｋＨｚの場合である。
【図２５】本発明の実施の形態において、ピクセルクロックが１４８．５／１．００１ＭＨｚの場合に、分周パラメータＮがとりうる値を示す図であり、図（ａ）はオーディオサンプリング周波数が３２ｋＨｚ、図（ｂ）はオーディオサンプリング周波数が４４．１ｋＨｚ、図（ｃ）はオーディオサンプリング周波数が４８ｋＨｚの場合である。
【図２６】本発明の実施の形態において、ピクセルクロックが１４８．５ＭＨｚの場合に、分周パラメータＮがとりうる値を示す図であり、図（ａ）はオーディオサンプリング周波数が３２ｋＨｚ、図（ｂ）はオーディオサンプリング周波数が４４．１ｋＨｚ、図（ｃ）はオーディオサンプリング周波数が４８ｋＨｚの場合である。
【図２７】本発明の実施の形態において、各ピクセルクロック、各オーディオサンプリング周波数における、分周パラメータＮの推奨パラメータを示す図である。
【図２８】本発明の実施の形態において、各ピクセルクロック、各オーディオサンプリング周波数における、分周パラメータＮの推奨パラメータを示す図である。
【図２９】本発明の実施の形態において、オーディオサンプリング周波数が４４．１ｋＨｚの場合の、各ピクセルクロックにおける、位相比較クロックの周波数が１ｋＨｚに最も近い分周パラメータＮの値を示す図である。
【図３０】従来の映像データのみを伝送するシステム全体の構成の例を示すブロック図である。
【図３１】従来の問題点を説明するための図である。
【符号の説明】
１００，６００，７００　映像・音声信号源
１１０　データ送信装置
１２０，６２０　ＤＶＩ用ケーブル
１３０　データ受信装置
１４０　映像・音声表示装置
２０１　オーディオデータ加工手段
２０２　データ記憶手段
２０３　映像・オーディオデータ重畳手段
２０４　オーディオデータの入力端子
２０５　映像データの入力端子
３０１　分周パラメータ決定手段
３０２　分周手段
３０３　カウンタ
４０１　オーディオデータ抽出信号生成手段
４０２　映像・オーディオデータ分離手段
４０３　オーディオクロック生成手段
４０４　データ記憶手段
４０５　Ｄ／Ａコンバータ
４０６　映像・オーディオデータ重畳信号の入力端子
５０１　第１の分周手段
５０２　位相検出器
５０３　ローパスフィルタ
５０４　ＶＣＯ
５０５　第２の分周手段
５０６　位相制御手段
６１０　ディスプレイ
６３０　オーディオ用ケーブル
７１０　スピーカ付きディスプレイ
７１１，７１２　スピーカ
【図１】
2004023187.tif 000003
【図２】
2004023187.tif 000004
【図３】
2004023187.tif 000005
【図４】
2004023187.tif 000006
【図５】
2004023187.tif 000007
【図６】
2004023187.tif 000008
【図７】
2004023187.tif 000009
【図８】
2004023187.tif 000010
【図９】
2004023187.tif 000011
【図１０】
2004023187.tif 000012
【図１１】
2004023187.tif 000013
【図１２】
2004023187.tif 000014
【図１３】
2004023187.tif 000015
【図１４】
2004023187.tif 000016
【図１５】
2004023187.tif 000017
【図１６】
2004023187.tif 000018
【図１７】
2004023187.tif 000019
【図１８】
2004023187.tif 000020
【図１９】
2004023187.tif 000021
【図２０】
2004023187.tif 000022
【図２１】
2004023187.tif 000023
【図２２】
2004023187.tif 000024
【図２３】
2004023187.tif 000025
【図２４】
2004023187.tif 000026
【図２５】
2004023187.tif 000027
【図２６】
2004023187.tif 000028
【図２７】
2004023187.tif 000029
【図２８】
2004023187.tif 000030
【図２９】
2004023187.tif 000031
【図３０】
2004023187.tif 000032
【図３１】
2004023187.tif 000033
【手続補正書】
【提出日】平成15年6月12日(2003.6.12)
【手続補正１】
【補正対象書類名】明細書
【補正対象項目名】０００１
【補正方法】変更
【補正の内容】
【０００１】
【発明の属する技術分野】
本発明は、例えばＤＶＩ（Ｄｉｇｉｔａｌ　Ｖｉｄｅｏ　Ｉｎｔｅｒｆａｃｅ）を用いて映像信号源と映像表示装置とを接続したデジタルデータ伝送システムにおけるデータ送信装置、及びデータ受信装置に関し、特に映像データを伝送する既存のインターフェイスを用いて、簡単かつ良好にオーディオデータを伝送することができるデータ送信装置、及びデータ受信装置に関する。


【手続補正２】
【補正対象書類名】明細書
【補正対象項目名】０００３
【補正方法】変更
【補正の内容】
【０００３】
【発明が解決しようとする課題】
しかし、ＤＶＩ規格により規定されたケーブルで伝送されるデータは、基本的に映像データだけであり、オーディオデータを同時に伝送させることを考えた場合には、ＤＶＩ規格で規定されたケーブルとは別のオーディオ用のケーブルで、チューナなどのオーディオ出力装置とを接続させる必要がある。
【手続補正３】
【補正対象書類名】明細書
【補正対象項目名】０００５
【補正方法】変更
【補正の内容】
【０００５】
ところが、図３１に示したように、映像・音声信号源７００からディスプレイ装置７１０に、映像データとオーディオデータとを伝送する場合に、映像データと音声データとで別々のケーブルを使用して接続するようにすると、それだけ接続構成が複雑化するという問題が生じる。よって、できれば機器間を接続するケーブルの数は少ないほうが好ましい。


【手続補正４】
【補正対象書類名】明細書
【補正対象項目名】０００６
【補正方法】変更
【補正の内容】
【０００６】
従来において、映像データとオーディオデータを多重化して１本のケーブルを使用して伝送できるようにする技術としては、例えばＩＥＥＥ（Ｔｈｅ　Ｉｎｓｔｉｔｕｔｅｏｆ　Ｅｌｅｃｔｒｉｃａｌ　ａｎｄ　Ｅｌｅｃｔｒｏｎｉｃｓ　Ｅｎｇｉｎｅｅｒｓ）１３９４方式として規格化されたバスラインを使用したデータ伝送技術があり、機器間を接続するケーブルとして、ＩＥＥＥ１３９４方式で規格されたバスラインを適用すれば、１本のケーブルで映像データとオーディオデータとを同時に伝送することで可能である。しかし、このようなＩＥＥＥ１３９４方式のバスラインなどでデータ伝送を行うためには、非常に複雑なデータ処理が必要であり、送信側における伝送用のエンコード処理の構成や、受信側におけるバスラインを介して受信したデータのデコード処理の構成に、非常に大規模な回路構成が必要となるため、コストがかかるという問題がある。
また、ＩＥＥＥ１３９４方式などでは、伝送レートなどの問題から、映像データやオーディオデータを圧縮符号化して多重化するようにしているため、前述したＤＶＩ規格のように画素単位でデジタル化した映像データのみを伝送するものに比べて、画質が劣るという問題もある。


【手続補正５】
【補正対象書類名】明細書
【補正対象項目名】０００７
【補正方法】変更
【補正の内容】
【０００７】
また、映像データと同時にデジタル化されたオーディオデータを伝送する場合には、映像用のクロックと同時にオーディオ用クロックも伝送する必要があるため、そのための伝送用の信号ラインが必要になり、また、そのオーディオ用クロック伝送用の信号ラインで高速な信号を伝送することになるため、ジッタの増加が起こるという問題がある。


【手続補正６】
【補正対象書類名】明細書
【補正対象項目名】０００８
【補正方法】変更
【補正の内容】
【０００８】
本発明は、前述のような問題点を解消するためになされたもので、映像データを伝送する既存のインターフェイスを用いて、送信側から、オーディオデータ、及びオーディオ用クロックを生成するためのデータを伝送し、受信側で、該オーディオデータ、及びオーディオ用クロックを生成するためのデータを受信して、簡単かつ良好に、前記オーディオ用クロックを生成して、オーディオデータを再生することができるデータ送信装置、及びデータ受信装置を提供することを目的とする。


【手続補正７】
【補正対象書類名】明細書
【補正対象項目名】００４４
【補正方法】変更
【補正の内容】
【００４４】
【発明の実施の形態】
以下、本発明の実施の形態を、図を用いて説明する。
本実施の形態によるデジタルデータ伝送システムは、ビデオテープ記録再生装置、ビデオディスク再生装置、チュ−ナーなどの映像・音声信号源から出力される映像データ，及びオーディオデータを、音声出力機能を有するモニタ受像機、テレビジョン受像機などの表示装置に対し、１つの伝送ケーブルを使用して伝送するようにしたものである。この伝送ケーブルとしては、ＤＶＩ（Ｄｉｇｉｔａｌ　Ｖｉｓｕａｌ　Ｉｎｔｅｒｆａｃｅ）と称される規格でデータが伝送されるケーブルを使用する。


【手続補正８】
【補正対象書類名】明細書
【補正対象項目名】００４５
【補正方法】変更
【補正の内容】
【００４５】
まず、図１〜図３を用いて、本実施の形態におけるデジタルデータ伝送システムについて説明する。
図１は、本実施の形態によるデジタルデータ伝送システムの全体構成を示す図である。図において、１００はビデオテープ記録再生装置、ビデオディスク再生装置、チュ−ナーなどの映像・音声信号源、１１０は前記映像・音声信号源１００から出力される映像データとオーディオデータとを重畳してＤＶＩ用ケーブルに送出するデータ送信装置、１２０はＤＶＩ用ケーブル、１３０は前記ＤＶＩ用ケーブル１２０により伝送された映像・オーディオデータ重畳信号（映像音声信号）を受信し、映像データとアナログオーディオ信号とを出力するデータ受信装置、１４０は前記データ受信装置１３０から映像データとアナログオーディオ信号とを受け取り映像及び音声の表示を行う映像・音声表示装置である。そして、ＤＶＩ用ケーブル１２０が接続されるデータ送信装置１１０及びデータ受信装置１３０のコネクタ部（図示せず）は、例えば２４本のピンコネクタで構成され、ＤＶＩ用ケーブル１２０により、データ送信装置１１０のコネクタの２４本のピンと、データ受信装置１３０のコネクタの２４本のピンとが個別に接続される。


【手続補正９】
【補正対象書類名】明細書
【補正対象項目名】００４６
【補正方法】変更
【補正の内容】
【００４６】
前記構成を有するデジタルデータ伝送システムにおいて、オーディオデータを伝送するために、本実施の形態においては、図２に示すように、ＤＶＩフォーマットの映像データに伝送用オーディオデータを重畳し、その映像・音声重畳信号を水平ブランク同期信号や、ピクセルクロックと共に、ＤＶＩ用ケーブル１２０を介して、データ送信装置１１０からデータ受信装置１３０に伝送する。また、データ受信装置１３０において、映像データに重畳されて伝送されたオーディオデータをアナログオーディオ信号として再生するためには、オーディオデータの基準クロックであるオーディオクロックが必要となるが、ＤＶＩ用ケーブル１２０では直接オーディオクロックを伝送できないので、本実施の形態では、データ送信装置１１０から、オーディオクロックを分周して、ピクセルクロックとオーディオクロックとの公倍数の伝送用オーディオクロックにする分周パラメータＮ、及び該伝送用オーディオクロックの周期をピクセルクロックでカウントした際のカウント値ＣＴＳ等を付加情報として、オーディオデータに付加し、その付加情報を含む伝送用オーディオデータを映像データに重畳してデータ受信装置１３０に伝送し、該データ受信装置１３０において、付加情報である分周パラメータＮ、及びカウント値ＣＴＳに基づいて、同期性を維持したオーディオクロックを生成するようにする。


【手続補正１０】
【補正対象書類名】明細書
【補正対象項目名】００５０
【補正方法】変更
【補正の内容】
【００５０】
次に、前述した伝送用オーディオデータが重畳された映像データを送受信する、本実施の形態におけるデータ送信装置１１０、及びデータ受信装置１３０の構成について、図４〜図７を参照しながら詳細に説明する。
まず、図４は、本実施の形態のデジタルデータ伝送システムにおけるデータ送信装置の構成を示すブロック図であり、図５は、データ送信装置のオーディオデータ加工手段における、分周パラメータＮ、及びカウント値ＣＴＳを生成する構成部分のブロック図である。


【手続補正１１】
【補正対象書類名】明細書
【補正対象項目名】００５１
【補正方法】変更
【補正の内容】
【００５１】
図４において、２０１は映像・音声信号源１００から出力されるデジタルオーディオデータに付加情報を付加し、映像データに重畳してデータ受信装置１３０側に伝送する伝送用オーディオデータｓ２０１を作成するオーディオデータ加工手段であり、２０２は前記オーディオデータ加工手段２０１により生成された伝送用オーディオデータｓ２０１を一時記憶するデータ記憶手段、２０３は前記映像・音声信号源１００から出力される水平ブランク同期信号、及び映像データのピクセルクロックを用いてタイミング信号を生成し、このタイミング信号を用いて、前記データ記憶手段２０２に記憶された伝送用オーディオデータｓ２０１を、映像・音声信号源１００から出力される映像データの水平ブランキング期間の所定位置に重畳して、映像・オーディオデータ重畳信号ｓ２０４を生成する映像・オーディオデータ重畳手段である。また、２０４はオーディオデータの入力端子、２０５は映像データの入力端子である。


【手続補正１２】
【補正対象書類名】明細書
【補正対象項目名】００５２
【補正方法】変更
【補正の内容】
【００５２】
以上のような構成を有するデータ送信装置１１０に、映像・音声信号源１００のオーディオ処理部（図示せず）から、デジタルオーディオデータが、オーディオデータ入力端子２０４に入力され、また、映像・音声信号源１００の映像処理部（図示せず）から、ＤＶＩ規格で符号化された映像データが、映像データ入力端子２０５に入力される。そして、デジタルオーディオデータは、オーディオデータ加工手段２０１に入力され、映像データは、映像・オーディオデータ重畳手段２０３に入力される。


【手続補正１３】
【補正対象書類名】明細書
【補正対象項目名】００５６
【補正方法】変更
【補正の内容】
【００５６】
前記分周パラメータＮは、分周パラメータ決定手段３０１内に、予め前記ピクセルクロック、及びオーディオデータのサンプリング周波数と前記分周パラメータＮとの関係を示すテーブルを設けておき、分周パラメータ決定手段３０１に入力されたオーディオクロック及びピクセルクロックに応じて、所定の値を該分周パラメータ決定手段３０１内に予め設けておいたテーブルにより決定するものであってもよいし、また、ここでは図示していないが、例えば、映像・音声信号源１００がＣＤやＤＶＤ等であって、前記データ送信装置１１０内に本デジタルデータ伝送システムを制御する制御手段が設けられている場合には、該制御手段により、直接ＣＤやＤＶＤ等の所定の領域からオーディオデータのサンプリング周波数、及び前記ピクセルクロックの値を取りこんで、前記オーディオデータ加工手段２０１内の分周パラメータ決定手段３０１に対して出力し、その出力された値に応じて、分周パラメータＮの値を前記分周パラメータ決定手段３０１において決定するものであってもよい。なお、この分周パラメータＮがとりうる値、また、前記分周パラメータ決定手段３０１内に予め設けておくテーブルについては後述する。


【手続補正１４】
【補正対象書類名】明細書
【補正対象項目名】００６０
【補正方法】変更
【補正の内容】
【００６０】
そして、映像・オーディオデータ重畳手段２０３において、映像・音声信号源１００から与えられる水平ブランク同期信号とピクセルクロックとを用いて、オーディオデータの重畳タイミング信号を生成する。
以下詳述すると、水平ブランク同期信号を受けた時からピクセルクロックのカウントを開始し、予め定められた個数であるｎ個（ｎは任意の整数）をカウントしたタイミングで、読み込み信号ｓ２０２をデータ記憶手段２０２に対して出力し、データ記憶手段２０２に一時記憶された伝送用オーディオデータｓ２０１は、映像・オーディオデータ重畳手段２０３から出力される読み込み信号ｓ２０２に応じてデータ記憶手段２０２から映像・オーディオデータ重畳手段２０３に入力され、映像データの水平ブランキング期間の所定の位置に重畳される。例えば、映像データの水平周波数が１５．７５ｋＨｚであり、オーディオデータのサンプリング周波数が４８ｋＨｚであるとすると、映像データの１水平走査期間は約６３．５μ秒（＝１／１５．７５ｋＨｚ）であり、オーディオデータの１サンプリング期間は約２０．８μ秒（＝１／４８ｋＨｚ）であるので、１水平ラインで３フレームの音声データを送る処理を数十回行う毎に、１水平ラインで４フレームの音声データを送る処理を１回行うように、２つの処理を組み合わせることで、映像に対するオーディオの遅延を生じさせることなく伝送できる。


【手続補正１５】
【補正対象書類名】明細書
【補正対象項目名】００６１
【補正方法】変更
【補正の内容】
【００６１】
このように、本実施の形態のデータ送信装置１１０は、映像データに、分周パラメータＮやカウント値ＣＴＳ等の付加情報を付加した加工後の伝送用オーディオデータｓ２０１を重畳して、映像・オーディオデータ重畳信号ｓ２０４を生成し、該信号ｓ２０４をＤＶＩ用ケーブル１２０を介してデータ受信装置１３０に送信する。


【手続補正１６】
【補正対象書類名】明細書
【補正対象項目名】００６２
【補正方法】変更
【補正の内容】
【００６２】
次に、図６は、本実施の形態のデジタルデータ伝送システムにおけるデータ受信装置の構成を示すブロック図であり、図７は、データ受信装置のオーディオクロック生成手段におけるオーディオクロックを生成する構成部分のブロック図である。
図６において、４０１はデータ送信装置１１０からＤＶＩ用ケーブル１２０を介して伝送された水平ブランク同期信号とピクセルクロックとを用いて、映像・オーディオデータ重畳信号ｓ２０４からオーディオデータを抽出するタイミング信号であるオーディオデータ抽出信号ｓ４０１を生成するオーディオデータ抽出信号生成手段、４０２は前記オーディオデータ抽出信号生成手段４０１が出力するオーディオデータ抽出信号ｓ４０１と、前記データ送信装置１１０において伝送用オーディオデータｓ２０１に付加されたオーディオデータのデータ長を示す情報とに基づいて、入力端子４０６から入力される映像・オーディオデータ重畳信号ｓ２０４を、映像データと、伝送用オーディオデータｓ２０１とに分離して出力する映像・オーディオデータ分離手段、４０３は前記データ送信装置１１０からＤＶＩ用ケーブル１２０を介して伝送されたピクセルクロックを、前記データ送信装置１１０において伝送用オーディオデータｓ２０１に付加されたカウント値ＣＴＳに基づいて分周し、位相制御してオーディオクロックｓ４０３を生成するオーディオクロック生成手段、４０４は前記映像・オーディオデータ分離手段４０２により分離出力された伝送用オーディオデータｓ２０１を記憶し、該記憶した伝送用オーディオデータｓ２０１を、前記オーディオクロック生成手段４０３から出力されるオーディオクロックｓ４０３に基づいて出力するデータ記憶手段、４０５は前記データ記憶手段４０４から出力される伝送用オーディオデータｓ２０１を、前記オーディオクロックｓ４０３に基づいて順次アナログオーディオ信号に変換して出力するＤ／Ａコンバータである。


【手続補正１７】
【補正対象書類名】明細書
【補正対象項目名】００６３
【補正方法】変更
【補正の内容】
【００６３】
以上のような構成を有するデータ受信装置１３０に、データ送信装置１１０からＤＶＩ用ケーブル１２０を介して、水平ブランク同期信号、ピクセルクロック、及び映像・オーディオデータ重畳信号ｓ２０４が入力され、まず、水平ブランク同期信号、及びピクセルクロックが、オーディオデータ抽出信号生成手段４０１に入力されると、水平ブランク同期信号を受けた時からピクセルクロックのカウントを開始し、予め定められた個数であるｎ個をカウントしたタイミングで、オーディオデータ抽出信号ｓ４０１を映像・オーディオデータ分離手段４０２に出力する。


【手続補正１８】
【補正対象書類名】明細書
【補正対象項目名】００６４
【補正方法】変更
【補正の内容】
【００６４】
そして、オーディオデータ抽出信号生成手段４０１で生成されたオーディオデータ抽出信号ｓ４０１は、映像・オーディオデータ分離手段４０２に供給され、映像・オーディオデータ分離手段４０２では、オーディオデータ抽出信号ｓ４０１を受けたタイミングから、伝送用オーディオデータｓ２０１のヘッダに記述された伝送用オーディオデータｓ２０１のデータ長分のデータを、映像・オーディオデータ重畳信号ｓ２０４から分離して出力することにより、映像データの水平ブランキング期間の所定位置に配置された伝送用オーディオデータｓ２０１を分離抽出する。この分離された伝送用オーディオデータｓ２０１は、一時的にデータ記憶手段４０４に記憶される。
さらに、前記映像・オーディオデータ分離手段４０２において分離された伝送用オーディオデータｓ２０１は、オーディオクロック生成手段４０３にも出力され、該オーディオクロック生成手段４０３において、前記ピクセルクロックを、前記データ送信装置１１０において伝送用オーディオデータｓ２０１に付加された分周パラメータＮに基づいて分周し、オーディオクロックｓ４０３を作成する。


【手続補正１９】
【補正対象書類名】明細書
【補正対象項目名】００６５
【補正方法】変更
【補正の内容】
【００６５】
ここで、図７を用いて、オーディオクロック生成手段４０３内の、オーディオクロックを生成する構成について説明する。なお、図７では、図を簡略化するため、クロックの流れのみを示し、データの流れは図示しない。
オーディオクロック生成手段４０３に入力されたピクセルクロック、及び伝送用オーディオデータｓ２０１に含まれる付加情報であるカウント値ＣＴＳは、第１の分周手段５０１に入力され、該第１の分周手段５０１において、前記ピクセルクロックは、前記カウント値ＣＴＳで分周される。そして、該カウント値ＣＴＳで分周された、ピクセルクロックのＣＴＳ倍の周期を有する分周クロックｓ５０１は、位相制御手段５０６に入力され、該位相制御手段５０６内で生成された位相比較クロックｓ５０５により位相制御されて、オーディオクロックｓ４０３が生成される。


【手続補正２０】
【補正対象書類名】明細書
【補正対象項目名】００６８
【補正方法】変更
【補正の内容】
【００６８】
そして、データ記憶手段４０４は、記憶したオーディオデータｓ２０１を、また、オーディオクロック生成手段４０３は、生成したオーディオクロックｓ４０３を、Ｄ／Ａコンバータ４０５に対し出力する。Ｄ／Ａコンバータ４０５は、データ記憶手段４０４からビットクロックに同期したデジタルオーディオデータを受け、オーディオクロック生成手段４０３で生成された３種類のクロック信号（オーディオクロック，Ｌ／Ｒクロック，ビットクロック）を用いて、デジタルオーディオデータをアナログオーディオ信号に変換する。


【手続補正２１】
【補正対象書類名】明細書
【補正対象項目名】００７０
【補正方法】変更
【補正の内容】
【００７０】
以下、分周パラメータＮのとりうる値について、詳細に説明する。
分周パラメータＮは、前述したデータ受信装置１３０内のデータクロック生成手段４０３の構成からも明らかなようにの以下の式を満たす値であればよい。
オーディオクロック×ＣＴＳ＝ピクセルクロック×Ｎ　・・・（式１）
（ただし、Ｎ，ＣＴＳは整数）
ここで、前述の（式１）を満たす分周パラメータＮを小さく設定すればするほど、前記オーディオクロック生成手段４０３における第２の分周手段５０５から出力される位相比較クロックｓ５０５（＝オーディオクロック／Ｎ）の周波数が高くなり、それに伴いオーディオクロックｓ４０３の周波数も高くなるので、オーディオクロック生成手段４０３における同期引き込み時間を短縮することができるという長所はあるが、逆に、生成されるオーディオクロックｓ４０３はジッタが多くなってしまい、なめらかな高品質のオーディオデータが得られない欠点がある。一方、分周パラメータＮを大きく設定すればするほど、第２の分周手段５０５から出力される位相比較クロックｓ５０５（＝オーディオクロック／Ｎ）の周波数が低くなり、オーディオクロックｓ４０３の周波数も低くなるので、オーディオクロック生成手段４０３における同期引き込み時間が長くなってしまうという欠点があるが、逆に、ジッタの少ないオーディクロックｓ４０３を生成することができ、なめらかな高品質のオーディオデータを生成することができる長所がある。


【手続補正２２】
【補正対象書類名】明細書
【補正対象項目名】００７１
【補正方法】変更
【補正の内容】
【００７１】
そこで、本実施の形態においては、分周パラメータＮのとりうる値として、前述した（式１）に加え、以下に示す（式２）の制限をさらに加える。
３００Ｈｚ≦オーディオクロック／Ｎ≦３０００Ｈｚ・・・（式２）
すなわち、（式２）に示すように、オーディオクロック／Ｎ、つまり、位相比較クロックｓ５０５の周波数を３００Ｈｚ以上にすれば、同期引き込み時間を１００ｍｓ以下にすることができ、オーディオクロック生成手段４０３における、同期引き込み時間を適度な時間とすることができる。また、本デジタルデータ伝送システムの装置間でデータ送受信中にデータのモード、つまり、データ送信装置１１０から送信されるデータのピクセルクロックの値、あるいはオーディオデータサンプリング周波数の値が変更された場合には、オーディオクロック生成手段４０３において、再度同期引き込みをする必要があるが、このような場合であっても、前述のように位相比較クロックｓ５０５の周波数を３００Ｈｚ以上にすれば、その同期引き込み時間を１００ｍｓ以内にすることができ、モードの変更後に、オーディオクロックを再度作成し、そのオーディオクロックを基にオーディオデータを再生するまでにかかる時間を適度な時間に抑えることができる。


【手続補正２３】
【補正対象書類名】明細書
【補正対象項目名】００７３
【補正方法】変更
【補正の内容】
【００７３】
ここで、図８〜図２６を用いて、各種ピクセルクロック、各種オーディオデータのサンプリング周波数における、前記２式を満たした分周パラメータＮの値と、その際のカウント値ＣＴＳ、及び位相比較クロックｓ５０５の周波数（ｋＨｚ）を示す。
図８〜図２６は、各種ピクセルクロックが、２５．２／１．００１ＭＨｚ，２５．２ＭＨｚ，２７ＭＨｚ，２７．１×１．００１ＭＨｚ，５４ＭＨｚ，７４．２５／１．００１ＭＨｚ，７４．２５ＭＨｚ，１４８．５／１．００１ＭＨｚ，１４８ＭＨｚであり、各種オーディオデータのサンプリング周波数が３２ｋＨｚ，４４．１ｋＨｚ，４８ｋＨｚであるときに、それぞれとりえる分周パラメータＮと、カウント値ＣＴＳと、位相比較クロックの周波数ｒｅｆ（Ｈｚ）の値を示す図である。なお、図８〜図２６で示される分周パラメータＮは、オーディオクロックが、オーディオデータのサンプリング周波数の１２８倍のクロックである場合の値である。


【手続補正２４】
【補正対象書類名】明細書
【補正対象項目名】００７４
【補正方法】変更
【補正の内容】
【００７４】
例えば、図８は、ピクセルクロックが２５．２／１．００１ＭＨｚ、且つ、オーディオデータのサンプル周波数が３２ｋＨｚ、４４．１ｋＨｚ、４８ｋＨｚのそれぞれである場合の、前記２式を満たす分周パラメータＮ、カウント値ＣＴＳ、位相比較クロックの周波数、を示している。


【手続補正２５】
【補正対象書類名】明細書
【補正対象項目名】００７５
【補正方法】変更
【補正の内容】
【００７５】
そして、データ送信装置１１０内のオーディオデータ加工手段２０１における、分周パラメータ決定手段３０１において、例えば、２５．２／１．００１ＭＨｚのピクセルクロックと、オーディオデータのサンプル周波数３２ｋＨｚのオーディオクロック（ここでは、３２ｋＨｚの１２８倍のクロック）とが入力されたとすると、図８（ａ）に示されている分周パラメータＮ（Ｎ＝４５７６，９１５２）を取り得る。


【手続補正２６】
【補正対象書類名】明細書
【補正対象項目名】００７６
【補正方法】変更
【補正の内容】
【００７６】
このように、図８〜図２６には、前記２式を満たす各種ピクセルクロック、各種オーディオデータのサンプリング周波数であるときに取り得る分周パラメータＮ、カウント値ＣＴＳ、及び位相比較クロックの周波数（Ｈｚ）の値が全て示されているが、図２３（ａ）に示される、ピクセルクロックが７４．２５／１．００１ＭＨｚで、且つオーディオデータサンプリング周波数が３２ｋＨｚの場合は、（式２）を満たす値がない。従って、ピクセルクロックが７４．２５／１．００１ＭＨｚで、且つオーディオデータサンプリング周波数が３２ｋＨｚの場合には、位相比較クロックの周波数を３００Ｈｚ以上にするために、位相比較クロックの周波数０．１７６ｋＨｚ（Ｎ＝２３２９６，ＣＴＳ＝４２１８７５）を２倍し、位相比較クロックの周波数を０．３５２ｋＨｚ（Ｎ＝１１６４８，ＣＴＳ＝２１０９３７〜２１０９３８）にして、位相比較クロックの周波数を３００Ｈｚ以上とする。なお、位相比較クロックの周波数を０．３５２ｋＨｚ（Ｎ＝１１６４８，ＣＴＳ＝２１０９３７〜２１０９３８）とした場合、（式１）によりカウント値ＣＴＳを求めると、計算上は２１０９３７．５となるが、実際オーディオデータ加工手段２０１におけるカウンタ３０３においてカウントされるときには、カウンタ値ＣＴＳが、２１０９３７と２１０９３８の値に、交互になるようにする。
しかし、このようにカウンタ３０３において、カウント値ＣＴＳとして２値（２１０９３７と２１０９３８）をとるようにすると、データ受信装置１３０側で生成されるオーディオクロックに、ジッタが発生しやすくなってしまう。しかし、高品質のなめらかなオーディオデータが必要とされるのは、オーディオデータサンプリング周波数が、少なくとも、ＤＶＤ等で使用される９６ｋＨｚや、１９２ｋＨｚの場合であるため、前述した３２ｋＨｚの場合は、多少オーディオデータの質が悪くなったとしても問題はない。


【手続補正２７】
【補正対象書類名】明細書
【補正対象項目名】００７７
【補正方法】変更
【補正の内容】
【００７７】
以上に示すように、本実施の形態におけるデジタルデータ伝送システムにおいて、データ送信装置１１０からデータ受信装置１３０に映像データ及びオーディオデータと共に送信する分周パラメータＮは、図８〜図２６に挙げた値をとりうる。なお、本デジタルデータ伝送システムにおいて、同期引き込み時間の短縮の効果を重視する場合は、位相比較クロックの周波数が３０００Ｈｚに近くなるような分周パラメータＮを選択して、オーディオデータ加工手段２０１の分周パラメータ決定手段３０１に設定すればよく、また、クロックジッタを抑制し高品質のオーディオデータを生成したい場合には、位相比較クロックの周波数が３００Ｈｚに近くなるような分周パラメータＮを選択して、分周パラメータ決定手段３０１に設定すればよい。


【手続補正２８】
【補正対象書類名】明細書
【補正対象項目名】００８１
【補正方法】変更
【補正の内容】
【００８１】
この理由は、例えば、オーディオデータサンプリング周波数が４４．１ｋＨｚの場合に、オーディオクロック／Ｎ≒１０００Ｈｚとなる分周パラメータＮを、図８〜図２６からピックアップした場合、図３０に示すように、それぞれのピクセルクロックで、推奨パラメータである分周パラメータＮの値が異なってしまうのだが、前述したように、オーディオクロック／Ｎ≒９００Ｈｚとなる分周パラメータＮを推奨パラメータとすれば、図２７及び図２８に示されるように、Ｎ＝６２７２という値をとる確率が高くなり、分周パラメータＮに共通性がでてくる。そして、このように分周パラメータＮに共通性をもたせれば、本デジタルデータ伝送システムにおける回路設計を簡単にすることができ、装置コストを削減できるという更なる効果が得られる。


【手続補正２９】
【補正対象書類名】明細書
【補正対象項目名】００８２
【補正方法】変更
【補正の内容】
【００８２】
さらに、前述の説明においては、ピクセルクロックが、２５．２／１．００１ＭＨｚ、２５．２ＭＨｚ、２７ＭＨｚ、２７．１×１．００１ＭＨｚ、５４ＭＨｚ、７４．２５／１．００１ＭＨｚ、７４．２５ＭＨｚ、１４８．５／１．００１ＭＨｚ、１４８ＭＨｚの場合について、分周パラメータＮが取り得る具体的な値を挙げて説明したが、これら以外のピクセルクロックが本デジタルデータ伝送システムに入力される可能性もある。その場合、図２７及び図２８の“ｏｔｈｅｒｓ”の段に示す分周パラメータを使用するようにする。この“ｏｔｈｅｒｓ”にかかれた分周パラメータＮの値は、各オーディオデータサンプリング周波数毎に示された、推奨パラメータである分周パラメータＮのうち、共通性の高い値（例えば、オーディオデータサンプリング周波数が３２ｋＨｚの場合は、分周パラメータＮ＝４０９６、オーディオデータサンプリング周波数が４４．１ｋＨｚの場合は、分周パラメータＮ＝６２７２）である。このようにすれば、本デジタルデータ伝送システムにおいて、前記以外のピクセルクロックが入力された場合であっても、ジッタの発生を抑制し、高品質なオーディオデータを生成することができ、また、回路設計が簡単になり、装置コストを削減できる。


【手続補正３０】
【補正対象書類名】明細書
【補正対象項目名】００８４
【補正方法】変更
【補正の内容】
【００８４】
また、本実施の形態においては、前記データ受信装置１３０側において生成するオーディオクロックを、データ送信装置１１０側で、入力される映像信号のピクセルクロック及びオーディオデータのオーディオデータサンプリング周波数に基づいて決定した分周パラメータＮ、及び該分周パラメータＮで分周後のオーディオクロックの周期をピクセルクロックでカウントしたカウント値ＣＴＳに基づいて生成するようにし、該分周パラメータＮを、３００Ｈｚ≦オーディオクロック／Ｎ≦３０００Ｈｚの範囲としたので、データ受信装置１３０側でオーディオクロックｓ４０３を生成する際の同期引き込み時間を１００ｍｓ以内にすることができ、さらに、クロックジッタの高周波成分を抑制して、高品質のオーディオデータを生成することができる。


【手続補正３１】
【補正対象書類名】明細書
【補正対象項目名】図面の簡単な説明
【補正方法】変更
【補正の内容】
【図面の簡単な説明】
【図１】本発明の実施の形態によるデジタルデータ伝送システム全体の構成を示すブロック図である。
【図２】ＤＶＩフォーマットで伝送される映像データにオーディオデータを重畳する動作を説明するための図である。
【図３】デジタルオーディオデータの構成の一例を示す図である。
【図４】本発明の実施の形態によるデータ送信装置の構成を示すブロック図である。
【図５】本発明の実施の形態によるデータ送信装置における、オーディオデータ加工手段における、分周パラメータＮ、及びカウント値ＣＳＴを求める構成部分を示すブロック図である。
【図６】本発明の実施の形態によるデータ受信装置の構成を示すブロック図である。
【図７】本発明の実施の形態によるデータ送信装置の、オーディオクロック生成手段の構成を示すブロック図である。
【図８】本発明の実施の形態において、ピクセルクロックが２５．２／１．００１ＭＨｚの場合に、分周パラメータＮがとりうる値を示す図であり、図（ａ）はオーディオサンプリング周波数が３２ｋＨｚ、図（ｂ）はオーディオサンプリング周波数が４４．１ｋＨｚ、図（ｃ）はオーディオサンプリング周波数が４８ｋＨｚの場合である。
【図９】本発明の実施の形態において、ピクセルクロックが２５．２ＭＨｚ、且つオーディオサンプリング周波数が３２ｋＨｚの場合に、分周パラメータＮがとりうる値を示す図である。
【図１０】本発明の実施の形態において、ピクセルクロックが２５．２ＭＨｚ、且つオーディオサンプリング周波数が４４．１ｋＨｚの場合に、分周パラメータＮがとりうる値を示す図である。
【図１１】本発明の実施の形態において、ピクセルクロックが２５．２ＭＨｚ、且つオーディオサンプリング周波数が４４．１ｋＨｚの場合に、分周パラメータＮがとりうる値を示す図である。
【図１２】本発明の実施の形態において、ピクセルクロックが２５．２ＭＨｚ、且つオーディオサンプリング周波数が４４．１ｋＨｚの場合に、分周パラメータＮがとりうる値を示す図である。
【図１３】本発明の実施の形態において、ピクセルクロックが２５．２ＭＨｚ、且つオーディオサンプリング周波数が４４．１ｋＨｚの場合に、分周パラメータＮがとりうる値を示す図である。
【図１４】本発明の実施の形態において、ピクセルクロックが２５．２ＭＨｚ、且つオーディオサンプリング周波数が４４．１ｋＨｚの場合に、分周パラメータＮがとりうる値を示す図である。
【図１５】本発明の実施の形態において、ピクセルクロックが２５．２ＭＨｚ、且つオーディオサンプリング周波数が４４．１ｋＨｚ（図（ａ））、及びピクセルクロックが２５．２ＭＨｚ、且つオーディオサンプリング周波数が４８ｋＨｚ（図（ｂ））の場合に、分周パラメータＮがとりうる値を示す図である。
【図１６】本発明の実施の形態において、ピクセルクロックが２５．２ＭＨｚ、且つオーディオサンプリング周波数が４８ｋＨｚの場合に、分周パラメータＮがとりうる値を示す図である。
【図１７】本発明の実施の形態において、ピクセルクロックが２７ＭＨｚ、且つオーディオサンプリング周波数が３２ｋＨｚ（図（ａ））、及びピクセルクロックが２７ＭＨｚ、且つオーディオサンプリング周波数が４４．１ｋＨｚ（図（ｂ））の場合に、分周パラメータＮがとりうる値を示す図である。
【図１８】本発明の実施の形態において、ピクセルクロックが２７ＭＨｚ、且つオーディオサンプリング周波数が４８ｋＨｚの場合に、分周パラメータＮがとりうる値を示す図である。
【図１９】本発明の実施の形態において、ピクセルクロックが２７．０×１．００１ＭＨｚの場合に、分周パラメータＮがとりうる値を示す図であり、図（ａ）はオーディオサンプリング周波数が３２ｋＨｚ、図（ｂ）はオーディオサンプリング周波数が４４．１ｋＨｚ、図（ｃ）はオーディオサンプリング周波数が４８ｋＨｚの場合である。
【図２０】本発明の実施の形態において、ピクセルクロックが５４．０ＭＨｚ、且つオーディオサンプリング周波数が３２ｋＨｚ（図（ａ））、及びピクセルクロックが５４．０ＭＨｚ、且つオーディオサンプリング周波数が４４．１ｋＨｚ（図（ｂ））の場合に、分周パラメータＮがとりうる値を示す図である。
【図２１】本発明の実施の形態において、ピクセルクロックが５４．０ＭＨｚ、且つオーディオサンプリング周波数が４４．１ｋＨｚ（図（ａ））、及びピクセルクロックが５４．０ＭＨｚ、且つオーディオサンプリング周波数が４８ｋＨｚ（図（ｂ））の場合に、分周パラメータＮがとりうる値を示す図である。
【図２２】本発明の実施の形態において、ピクセルクロックが５４．０ＭＨｚ、且つオーディオサンプリング周波数が４８ｋＨｚの場合に、分周パラメータＮのとりうる値を示す図である。
【図２３】本発明の実施の形態において、ピクセルクロックが７４．２５／１．００１ＭＨｚの場合に、分周パラメータＮがとりうる値を示す図であり、図（ａ）はオーディオサンプリング周波数が３２ｋＨｚ、図（ｂ）はオーディオサンプリング周波数が４４．１ｋＨｚ、図（ｃ）はオーディオサンプリング周波数が４８ｋＨｚの場合である。
【図２４】本発明の実施の形態において、ピクセルクロックが７４．２５ＭＨｚの場合に、分周パラメータＮがとりうる値を示す図であり、図（ａ）はオーディオサンプリング周波数が３２ｋＨｚ、図（ｂ）はオーディオサンプリング周波数が４４．１ｋＨｚ、図（ｃ）はオーディオサンプリング周波数が４８ｋＨｚの場合である。
【図２５】本発明の実施の形態において、ピクセルクロックが１４８．５／１．００１ＭＨｚの場合に、分周パラメータＮがとりうる値を示す図であり、図（ａ）はオーディオサンプリング周波数が３２ｋＨｚ、図（ｂ）はオーディオサンプリング周波数が４４．１ｋＨｚ、図（ｃ）はオーディオサンプリング周波数が４８ｋＨｚの場合である。
【図２６】本発明の実施の形態において、ピクセルクロックが１４８．５ＭＨｚの場合に、分周パラメータＮがとりうる値を示す図であり、図（ａ）はオーディオサンプリング周波数が３２ｋＨｚ、図（ｂ）はオーディオサンプリング周波数が４４．１ｋＨｚ、図（ｃ）はオーディオサンプリング周波数が４８ｋＨｚの場合である。
【図２７】本発明の実施の形態において、各ピクセルクロック、各オーディオサンプリング周波数における、分周パラメータＮの推奨パラメータを示す図である。
【図２８】本発明の実施の形態において、各ピクセルクロック、各オーディオサンプリング周波数における、分周パラメータＮの推奨パラメータを示す図である。
【図２９】本発明の実施の形態において、オーディオサンプリング周波数が４４．１ｋＨｚの場合の、各ピクセルクロックにおける、位相比較クロックの周波数が１ｋＨｚに最も近い分周パラメータＮの値を示す図である。
【図３０】従来の映像データのみを伝送するシステム全体の構成の例を示すブロック図である。
【図３１】従来の問題点を説明するための図である。
【符号の説明】
１００，６００，７００　映像・音声信号源
１１０　データ送信装置
１２０，６２０　ＤＶＩ用ケーブル
１３０　データ受信装置
１４０　映像・音声表示装置
２０１　オーディオデータ加工手段
２０２　データ記憶手段
２０３　映像・オーディオデータ重畳手段
２０４　オーディオデータの入力端子
２０５　映像データの入力端子
３０１　分周パラメータ決定手段
３０２　分周手段
３０３　カウンタ
４０１　オーディオデータ抽出信号生成手段
４０２　映像・オーディオデータ分離手段
４０３　オーディオクロック生成手段
４０４　データ記憶手段
４０５　Ｄ／Ａコンバータ
４０６　映像・オーディオデータ重畳信号の入力端子
５０１　第１の分周手段
５０２　位相検出器
５０３　ローパスフィルタ
５０４　ＶＣＯ
５０５　第２の分周手段
５０６　位相制御手段
６１０　ディスプレイ
６３０　オーディオ用ケーブル
７１０　スピーカ付きディスプレイ
７１１，７１２　スピーカ


【手続補正３２】
【補正対象書類名】図面
【補正対象項目名】図４
【補正方法】変更
【補正の内容】
【図４】
2004023187.tif 000034
【手続補正３３】
【補正対象書類名】図面
【補正対象項目名】図５
【補正方法】変更
【補正の内容】
【図５】
2004023187.tif 000035
【手続補正３４】
【補正対象書類名】図面
【補正対象項目名】図６
【補正方法】変更
【補正の内容】
【図６】
2004023187.tif 000036
【手続補正３５】
【補正対象書類名】図面
【補正対象項目名】図７
【補正方法】変更
【補正の内容】
【図７】
2004023187.tif 000037
【手続補正３６】
【補正対象書類名】図面
【補正対象項目名】図２９
【補正方法】変更
【補正の内容】
【図２９】
2004023187.tif 000038